(57)【特許請求の範囲】
【請求項１】
機裏側に配設される取付部材に基板が配設され、該基板に設けられたＲＯＭ用ソケットに、演出用または遊技用のプログラムが格納された制御用ＲＯＭが着脱可能に装着される遊技機の制御装置において、
前記ＲＯＭ用ソケットに設けられ、前記制御用ＲＯＭのピンが抜き差し可能で、該ピンの抜き差し方向に所定長さで延在し、差し込まれたピンに電気的に接触する接触部と、
前記基板の端縁部に形成されて端縁側に開口する窪み部と、
円筒状の小径嵌合部の軸方向両端に、該小径嵌合部より大径円筒状の第１保持部および第２保持部が形成され、前記小径嵌合部を前記窪み部に嵌合して基板の表面側に第１保持部が当接すると共に基板の裏面側に第２保持部が当接した状態で基板に取り付けられる弾性体と、
前記弾性体における前記第１保持部の基板から離間する端面に突設される複数の第１突起および前記第２保持部の基板から離間する端面に突設される複数の第２突起と、
前記弾性体の第１突起に接触可能な支持部に、弾性体に形成された通孔に挿通可能な間隔保持部が延設され、前記弾性体の通孔に間隔保持部を挿通して前記支持部と基板で第１保持部を挟むと共に前記取付部材に弾性体の第２突起を接触させた状態で、該間隔保持部を取付部材に着脱自在に固定することで、離間間隔を一定に保持された取付部材と支持部とで第１保持部および第２保持部を挟んで該取付部材に基板を取り付ける取付手段とを備え、
前記基板は矩形状で、４隅部に前記窪み部が夫々形成されると共に、少なくとも１つの窪み部は、基板の中央点を通る線分に対して他の窪み部とは非線対称の関係で設けられ、
前記非線対称の関係で設けられた窪み部に対して前記弾性体の小径嵌合部を嵌合した際に、当該弾性体の第１保持部および第２保持部の一部が基板の端縁から外方に突出するよう構成された
ことを特徴とする遊技機の制御装置。
【請求項２】
前記ＲＯＭ用ソケットには、基板に固定される本体に、基板に近接する位置から離間するにつれて拡開して基板から離間する端部で開口する略Ｖ字状の受溝が形成され、該受溝の内面に沿って弾性変形可能な前記接触部が延在するように配設されると共に、
前記接触部における前記制御用ＲＯＭのピンの接触面に、内側に向けてピンの差し込み方向に傾斜するよう突出してピンと電気的に接触する複数の爪部が、差し込み方向に並列に一体形成される請求項１記載の遊技機の制御装置。
【請求項３】
液晶表示ユニットを着脱自在に備え、
前記液晶表示ユニットの裏側に着脱自在に配設される基板ケースおよび該基板ケースの内部に配設される取付板材とから前記取付部材が構成され、
前記取付板材には、基板ケースにおける取付板材の設置面からの離間距離が異なる第１取付部および第２取付部が形成され、
前記各窪み部に前記弾性体が取り付けられた状態で、前記取付板材における前記設置面から離間する側の第１取付部に基板が取り付けられると共に、該第１取付部には基板に電気的に接続される中継基板が該基板に隣接して取り付けられ、
前記取付板材における前記設置面に近接する側の前記第２取付部に別の基板が取り付けられ、
前記基板の表面側には、接続口が表面に沿う方向に向けて開口するソケットが、該接続口を第２取付部側に向けて設けられ、
前記ソケットに、前記別の基板に電気的に接続するプラグが着脱自在に差し込み接続される請求項１または２記載の遊技機の制御装置。
【発明の詳細な説明】
【技術分野】
【０００１】
この発明は、機裏側に配設される取付部材に、制御用ＲＯＭを実装した基板を配設した遊技機の制御装置に関するものである。
【背景技術】
【０００２】
例えば遊技機の代表例の一つであるパチンコ機では、その基本構成として、縦長方形の外枠の開口前面側に、各種の必要な遊技構成部材が搭載されて遊技盤を収容セットした中枠を開閉(横開き)および着脱可能に組み付けると共に、遊技盤の前面を透視保護するガラスユニットを組み付けた前枠を、中枠に対して開閉(横開き)および着脱可能に組み付けて１台単位で構成される。
【０００３】
またパチンコ機は、機内にセットされる遊技盤に形成された可視表示部に、機裏側に配設した液晶式やドラム式等の図柄表示装置の表示部を臨ませ、この図柄表示装置で図柄組み合わせゲームやリーチ演出等の主たる遊技演出を行なうようになっている。前記遊技盤の裏側には、各種演出や遊技用のプログラムが格納された制御用ＲＯＭ、各種データが格納されたデータ用ＲＯＭ、制御用ＲＯＭに格納されたプログラムを実行するＣＰＵ、その他各種電子部品が実装された制御基板を保護用の基板ケース内に収容した制御装置が配設されている。
【０００４】
前記制御用ＲＯＭ、データ用ＲＯＭ、ＣＰＵ等の電子部品としては、故障時の交換および再利用の利便性を考慮して、制御基板側に設けられた端子に電子部品側のピンを着脱自在に差し込んで電気的に接続する差し込みタイプが採用されている。しかるに、差し込みタイプの電子部品は、パチンコ機の製造出荷後の輸送時における振動によりピンの端子への差し込み状態が緩くなってしまうおそれがある。そして、パチンコホール設置後の通常使用時において、パチンコ機に設けられたスピーカから出力される効果音による音の振動、中枠や前枠の開閉による振動で、差し込み状態が緩んでいた電子部品のピンと端子との接触状態が不安定となり、接触不良を起こすおそれがある。また、輸送時の振動によりピンの端子への差し込み状態が緩くなっていない場合であっても、枠の開閉等により強い振動を制御基板が繰り返し受けると、電子部品のピンと端子との差し込み状態が緩くなり、接触不良の原因となる。
【０００５】
特に、液晶用の演出表示制御基板に備えられている制御用ＲＯＭに接触不良が起きると、電源投入時に図柄表示装置に何も表示されない等の不具合が発生するおそれが高い。また、枠の開閉等により強い振動を制御基板が受けた場合に、制御用ＲＯＭのピンが端子に対して一瞬非接触状態になってしまうことがある。そして、通電中に制御用ＲＯＭのピンが一瞬でも非接触状態になってしまうと、図柄表示装置ではエラー表示が行なわれ、正常な遊技の妨げとなる問題が指摘される。
【０００６】
なお、前記制御用ＲＯＭのピンを、制御基板の端子にハンダ等で直付けするタイプもあるが、この直付けタイプの制御用ＲＯＭの場合も、輸送時における振動、あるいは枠の開閉等による振動を制御基板が繰り返し受けると、ハンダ等にクラックが発生して接触不良が発生する原因となるおそれがあった。
【０００７】
前述したような振動に起因する制御用ＲＯＭの接触不良の発生を防止する防振構造として、例えば特許文献１には、本体シャーシに対し、回路基板を収容した回路基板ユニットを、複数の防振ゴムを介して取り付ける構成が開示されている。
【特許文献１】実用新案登録第３０３４５３９号公報
【発明の開示】
【発明が解決しようとする課題】
【０００８】
特許文献１では、防振ゴムと本体シャーシとの対向面および防振ゴムを本体シャーシに取り付けるためのスペーサとの該防振ゴムの対向面は、何れも平坦で、防振ゴムの両対向面の全体が本体シャーシおよびスペーサに面接触している。このため、本体シャーシの振動を防振ゴムによって充分に吸収(減衰)できず、回路基板ユニットに大きな振動が伝わってしまい、回路基板が振動することに起因して発生する前述した問題を解決するには至っていなかった。
【０００９】
すなわち本発明は、従来の技術に係る遊技機の制御装置に内在する前記課題に鑑み、これを好適に解決するべく提案されたものであって、取付部材から伝わる振動の吸収率を高めると共に、制御用ＲＯＭのピンと接触部との接触状態を維持し得るようにして、該制御用ＲＯＭの接触不良の発生を抑制し得る遊技機の制御装置を提供することを目的とする。
【課題を解決するための手段】
【００１０】
前記課題を克服し、所期の目的を達成するため、本願の請求項１に係る発明は、
機裏側に配設される取付部材(64,67)に基板(43)が配設され、該基板(43)に設けられたＲＯＭ用ソケット(98)に、演出用または遊技用のプログラムが格納された制御用ＲＯＭ(72)が着脱可能に装着される遊技機の制御装置において、
前記ＲＯＭ用ソケット(98)に設けられ、前記制御用ＲＯＭ(72)のピン(72b)が抜き差し可能で、該ピン(72b)の抜き差し方向に所定長さで延在し、差し込まれたピン(72b)に電気的に接触する接触部(99)と、
前記基板(43)の端縁部に形成されて端縁側に開口する窪み部(80)と、
円筒状の小径嵌合部(81b)の軸方向両端に、該小径嵌合部(81b)より大径円筒状の第１保持部(82)および第２保持部(83)が形成され、前記小径嵌合部(81b)を前記窪み部(80)に嵌合して基板(43)の表面側に第１保持部(82)が当接すると共に基板(43)の裏面側に第２保持部(83)が当接した状態で基板(43)に取り付けられる弾性体(81)と、
前記弾性体(81)における前記第１保持部(82)の基板(43)から離間する端面に突設される複数の第１突起(82a)および前記第２保持部(83)の基板(43)から離間する端面に突設される複数の第２突起(83a)と、
前記弾性体(81)の第１突起(82a)に接触可能な支持部(84a)に、弾性体(81)に形成された通孔(81c)に挿通可能な間隔保持部(84b,84c)が延設され、前記弾性体(81)の通孔(81c)に間隔保持部(84b,84c)を挿通して前記支持部(84a)と基板(43)で第１保持部(82)を挟むと共に前記取付部材(64,67)に弾性体(81)の第２突起(83a)を接触させた状態で、該間隔保持部(84b,84c)を取付部材(64,67)に着脱自在に固定することで、離間間隔を一定に保持された取付部材(64,67)と支持部(84a)とで第１保持部(82)および第２保持部(83)を挟んで該取付部材(64,67)に基板(43)を取り付ける取付手段(84)とを備え、
前記基板(43)は矩形状で、４隅部に前記窪み部(80)が夫々形成されると共に、少なくとも１つの窪み部(80)は、基板(43)の中央点を通る線分に対して他の窪み部(80)とは非線対称の関係で設けられ、
前記非線対称の関係で設けられた窪み部(80)に対して前記弾性体(81)の小径嵌合部(81b)を嵌合した際に、当該弾性体(81)の第１保持部(82)および第２保持部(83)の一部が基板(43)の端縁から外方に突出するよう構成されたことを特徴とする。
【００１１】
請求項１の発明によれば、取付部材および取付手段に対して基板を保持する弾性体に突起を設け、該突起が取付部材および取付手段に接触するよう構成することで、取付部材や取付手段から伝わる振動の弾性体による吸収率が高くなり、基板に伝わる振動を軽減することができる。従って、制御用ＲＯＭのピンとＲＯＭ用ソケットの接触部との接触状態が緩むのを抑制し得る。しかも、ＲＯＭ用ソケットの接触部は、制御用ＲＯＭのピンの抜き差し方向に沿って所定長さで延在しているから、振動によってピンが引き抜き方向に移動したとしても、該ピンと接触部との接触状態を維持することができる。すなわち、制御用ＲＯＭの接触不良に起因する不具合の発生を抑制し得る。また取付手段は、取付部材と支持部との間隔を一定に保持する機能を有するから、間隔を保持する手段を別途用いる必要はなく、部品点数を低減し得ると共に、取付部材に対する基板の取り付けが容易となる。
また、基板の４隅部に形成した少なくとも１つの窪み部は、基板の中央点を通る線分に対して他の窪み部と非線対称の関係となっているから、取付板材に対する基板の取り付け態様を間違えることはない。更に、弾性体の第１および第２保持部の一部が側端縁から外方に突出するから、窪み部に取り付けた弾性体を目印として基板の向きを簡単かつ迅速に決めることができる。
【００１２】
請求項２に係る発明では、前記ＲＯＭ用ソケット(98)には、基板(43)に固定される本体(98a)に、基板(43)に近接する位置から離間するにつれて拡開して基板(43)から離間する端部で開口する略Ｖ字状の受溝(98b)が形成され、該受溝(98b)の内面に沿って弾性変形可能な前記接触部(99)が延在するように配設されると共に、
前記接触部(99)における前記制御用ＲＯＭ(72)のピン(72b)の接触面に、内側に向けてピン(72b)の差し込み方向に傾斜するよう突出してピン(72b)と電気的に接触する複数の爪部(99a)が、差し込み方向に並列に一体形成されることを要旨とする。
請求項２の発明によれば、ＲＯＭ用ソケットに略Ｖ字状の受溝を設け、該受溝の内面に沿って弾性変形可能な接触部を延設したから、制御用ＲＯＭのピンを接触部に差し込むことで該接触部とピンとの接触状態が強固となり、振動によるピンの位置ずれを抑制し得る。また、接触部の接触面に、内側に向けて突出する複数の爪部を形成したから、接触部に差し込まれた制御用ＲＯＭのピンが引き抜き方向に移動するのを爪部で規制することができ、振動によるピンの位置ずれを更に抑制し得る。
【００１３】
請求項３に係る発明では、液晶表示ユニット(13)を着脱自在に備え、
前記液晶表示ユニット(13)の裏側に着脱自在に配設される基板ケース(64)および該基板ケース(64)の内部に配設される取付板材(67)とから前記取付部材が構成され、
前記取付板材(67)には、基板ケース(64)における取付板材(67)の設置面からの離間距離が異なる第１取付部(67a)および第２取付部(67b)が形成され、
前記基板(43)の４隅の夫々に前記窪み部(80)が設けられると共に、少なくとも１つの窪み部(80)は、基板(43)の中央点を通る線分に対して他の窪み部(80)とは非線対称となる位置に設けられ、各窪み部(80)に前記弾性体(81)が取り付けられた状態で、前記取付板材(67)における前記設置面から離間する側の第１取付部(67a)に基板(43)が取り付けられると共に、該第１取付部(67a)には基板(43)に電気的に接続される中継基板(62)が該基板(43)に隣接して取り付けられ、
前記取付板材(67)における前記設置面に近接する側の前記第２取付部(67b)に別の基板(63)が取り付けられ、
前記基板(43)の表面側には、接続口(79a)が表面に沿う方向に向けて開口するソケット(79)が、該接続口(79a)を第２取付部(67b)側に向けて設けられ、
前記ソケット(79)に、前記別の基板(63)に電気的に接続するプラグ(97)が着脱自在に差し込み接続されることを要旨とする。
【発明の効果】
【００１４】
本発明に係る遊技機の制御装置によれば、基板に伝わる振動を軽減すると共に、制御用ＲＯＭのピンと接触部との接触状態を維持して、該制御用ＲＯＭの接触不良の発生を抑制し得る。
【発明を実施するための最良の形態】
【００１５】
次に、本発明に係る遊技機の制御装置につき、好適な実施例を挙げて、添付図面を参照しながら以下詳細に説明する。なお、実施例では、制御装置が適用される遊技機として、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を正面側(遊技者側)から見た状態で指称する。
【実施例】
【００１６】
(パチンコ機について)
実施例に係るパチンコ機１０は、図１に示すように、矩形枠状に形成されて遊技店の図示しない設置枠台に縦向きに設置される矩形枠状の外枠１１の開口前面側に、後述する遊技盤４５(図６参照)を着脱可能に保持する中枠１２が開閉および着脱可能に組み付けられると共に、該遊技盤４５の裏側に対して、各種図柄を変動表示可能な液晶表示装置(液晶表示ユニット)１３が着脱自在に取り付けられるよう構成される。また、前記中枠１２の前面側には、前記遊技盤４５を透視保護するガラス板１４ａを備えた前枠１４が開閉可能に組み付けられると共に、該前枠１４の下方にパチンコ球を貯留する下球受け皿１５が開閉可能に組み付けられる。なお、実施例では、前記前枠１４の下部位置に、パチンコ球を貯留する上球受け皿１６が一体的に組み付けられており、前枠１４の開閉に合わせて上球受け皿１６も一体的に開閉するよう構成される。また、図５に示すように、前記中枠１２の裏側には、前記遊技盤４５の裏側に配設された液晶表示装置１３(各種制御装置３８,４３を含む)裏側を覆う保護カバー１７が後述する軸受部２１ａおよび支軸１７ａからなる枢支手段を介して開閉可能に枢支されている。
【００１７】
(中枠について)
図２に示すように、前記中枠１２は、上縁をなす上枠部材１８と、下縁をなし、スピーカ２２や打球発射装置２３、操作ハンドル２４等が設置された下枠部材１９と、左側縁をなす左枠部材(側枠部材)２０と、右側縁をなす右枠部材２１とから構成されて、これら上下左右の枠部材１８,１９,２０,２１を組み付けた際に、全体が前記外枠１１の開口に整合する矩形枠状に形成される。そして、前記上下左右の枠部材１８,１９,２０,２１を組み付けた際に前後に開口する開口縁部が、前記遊技盤４５を設置する遊技盤保持部２５として機能するよう構成されている(図３参照)。ここで、前記中枠１２は、前記外枠１１の左上端部および左下端部に設けられた支軸を介して左側端部(一方の側部)が回転可能に枢支(ヒンジ接続)されて、該支軸を中心として中枠１２を回転させることで、該外枠１１に対して中枠１２を開閉し得るようになっている。実施例では、前記上下の枠部材１８,１９は合成樹脂成形されると共に、左右の枠部材２０,２１はアルミ等の導電性金属材により成形されて、中枠１２は全体として剛性を確保しつつ軽量化が図られている。
【００１８】
また、前記左枠部材２０の開口内側(遊技盤保持部２５側)には、図２または図３に示す如く、上下に離間する位置に、前記遊技盤４５の左側端部を回転および着脱可能に保持する回転保持具２６,２６が複数(実施例では２個であるが、１個あるいは３個以上であってもよい)設けられると共に、上下の枠部材１８,１９における右端部(右枠部材２１側)に、遊技盤４５の右側上下端部を固定する固定具２７が夫々設けられている。すなわち、前記遊技盤４５を中枠１２に配設するには、図３に示すように、前記遊技盤保持部２５に斜めに遊技盤４５を臨ませて、該遊技盤４５の左側端部を前記回転保持具２６,２６で保持した状態で、遊技盤４５の右側端部を押し込んで遊技盤４５の左側端部(回転保持具２６,２６)を中心に回動させて遊技盤４５の全体を遊技盤保持部２５に臨ませて、前記固定具２７で遊技盤４５の右側上下端部を支持固定する。このように、実施例に係る遊技盤４５は、前記中枠１２と同様に、左側端部が回転中心となるよう支持される。なお、以下の説明において、パチンコ機１０(遊技盤４５)における左側を枢支端側と指称し、右側を開放端側と指称することもある。
【００１９】
図２に示すように、前記上枠部材１８の裏側には、設置枠台等に設けられた外部球供給設備から供給されるパチンコ球を貯留する球タンク２８が、該上枠部材１８の左右幅の略全幅に亘って設けられている。この球タンク２８は、前記遊技盤保持部２５に配設された遊技盤４５の上部位置と前後に重なるよう構成されて(図４０(ｂ)参照)、遊技盤４５の上下寸法を最大限大きくし得るようになっている。
【００２０】
また、前記下枠部材１９の裏側には、前記上下の球受け皿１５,１６に連通する球供給路および設置枠台に設けた球回収樋(何れも図示せず)に連通する球排出路が夫々形成されたセット部材２９が配設されている。前記球タンク２８とセット部材２９とは、各部材２８,２９における左枠部材２０側の端部間に架設された球通路ユニット３０を介して連通接続されており、該球通路ユニット３０に配設された球払出し装置３０ａの駆動により球タンク２８に供給されたパチンコ球を前記上下の球受け皿１５,１６へ給出するよう構成されている。また、このセット部材２９には、図４に示すように、パチンコ機１０の電源制御を行なう電源基板３１ａ(図２２参照)を備えた電源装置３１、前記球通路ユニット３０に配設した球払出し装置３０ａを駆動制御する払出し制御装置３２、前記打球発射装置２３を駆動制御する発射制御装置３３、外部端末に接続されるインターフェース基板３４等が配設されている。なお、これらの各装置３１,３２,３３,３４は、前記遊技盤４５の裏側に配設される主制御装置４０に配線接続され、該主制御装置４０からの制御信号に基づいて所定の制御を実行するようになっている。前記電源装置３１の下部からアース線３１ｂが導出しており(図５参照)、該アース線３１ｂの他端は図示しない遊技店の島にアース接続されている。また、前記電源装置３１は、前記中枠１２の右枠部材２１に図示しないリード線を介して電気的に接続している。すなわち、前記中枠１２は、前記電源装置３１(電源基板３１ａ)を介して全体としてアースされている。
【００２１】
前記右枠部材２１の後端部には、上下方向に離間する３箇所に、前記保護カバー１７を開閉可能に枢支する軸受部２１ａが形成されている(図２参照)。各軸受部２１ａには、前記右枠部材２１の後端部から後方へ向けて略水平に突設された突出片に、上下方向に貫通する軸孔２１ｂを穿設してある。そして、この軸孔２１ｂに保護カバー１７の右側部(開放端側の側部)に設けた下方に突出する支軸１７ａを夫々挿通することで、保護カバー１７を開閉自在に支持するようになっている(図５参照)。なお、後述するように、３つの軸受部２１ａのうち最上位の軸受部(被接触部)２１ａは、遊技盤４５を中枠１２に嵌め込んだ際に、第２アース部材１４８(後述)と接触するよう構成される(図４１(ｂ)参照)。
【００２２】
(液晶表示装置について)
次に、前記遊技盤４５に配設される液晶表示装置１３の構成につき説明する。実施例に係る液晶表示装置１３は、各種図柄を表示可能な液晶パネル(表示器)が第１ケース体３５に収容されたユニット部材であって、該第１ケース体３５の後面に、液晶パネルに表示される表示を制御する演出表示制御装置３６や液晶パネルのバックライトを制御するインバータ基板３７が配設される。また、前記演出表示制御装置３６およびインバータ基板３７の裏面側には、後述する各発光装置１０７,１０８,１０９,１２０,１２５,１２８,１２９を発光制御したり前記スピーカ２２の出力制御を行なう統括制御基板３８ａ(図２２参照)を第３ケース体３９に収容した統括制御装置３８が前後に重なるよう配設されており、該統括制御装置３８の制御信号に基づいて、演出表示制御装置３６が所定の制御を実行すると共に、各発光装置１０７,１０８,１０９,１２０,１２５,１２８,１２９が発光するようになっている。なお、前記統括制御装置３８も前記主制御装置４０に配線接続され、該主制御装置４０からの制御信号に基づいて制御を実行するよう設定される。また統括制御基板３８ａは、前記電源基板３１ａに電気的に接続されている(図２２参照)。
【００２３】
前記液晶パネルおよびバックライトは、裏側および外周縁が金属製の保護部材４１で囲繞された状態で、前記第１ケース体３５に収容されている。この保護部材４１は、鉄やその他の金属等の導電性を有する材料から形成されて、液晶パネルおよびバックライトに対する静電気保護を図っている。また保護部材４１の裏面には、該保護部材４１より導電性(導電率)の高い材料からなる帯状の導電部材４２が、保護部材４１に接触した状態で幅方向の全長に亘って配設してある。この導電部材４２は、液晶表示装置１３の裏面に取り付けられた前記演出表示制御装置３６における演出表示制御基板４３の前側に臨む位置に設けられる。より具体的には、図９に示す如く、演出表示制御基板４３に実装されている後述する制御用ＲＯＭ７２、データ用ＲＯＭ７３およびＣＰＵ７４と前記保護部材４１との間に臨むように導電部材４２が配置される。導電部材４２を形成する材料としては、導電性に優れる銅やアルミニウム、その他鉄等の保護部材４１を形成する材料より導電性の高い各種材料を採用できる。
【００２４】
前記導電部材４２は、図９に示す如く、液晶用リード線４４を介して前記インバータ基板３７に電気的に接続され、後述するように遊技盤４５の前面で発生して保護部材４１に流れた静電気を、導電部材４２を介してインバータ基板３７に速やかに流し得るようにしてある。
【００２５】
前記第１ケース体３５には、図８に示すように、遊技盤４５の枢支端側に位置する左面(左右の一方側面)の前端に、側方(左方向)へ突出する板状の係止突部３５ａ,３５ａが上下に離間する２箇所に設けられている。この係止突部３５ａは、前記遊技盤４５の裏側に設けられる後述の差込み受部１１９,１１９(図３２参照)と係脱可能に係合するようになっている。また、前記第１ケース体３５における前記液晶パネルと対向する裏面には、遊技盤４５の開放端側に位置する右側面(左右の他方側面側)の上下端部に、後方へ突出する支持部３５ｂが夫々形成されており、遊技盤４５の裏側に設けた後述のロック部材１５５,１５５(図４参照)が対応の支持部３５ｂ,３５ｂに対して係脱可能に係合するよう構成される。
【００２６】
(遊技盤について)
前記遊技盤４５は、図７に示すように、前記中枠１２の遊技盤保持部２５に整合する略正方形に形成されたアクリルやポリカーボネート等の光透過性の合成樹脂材からなる平板状の透明板(透明樹脂板)４６と、該透明板４６の裏面に組み付けられて前記液晶表示装置１３が着脱可能に配設される裏ユニット４７とから構成され、該裏ユニット４７に形成された前後に開口する可視表示部４７ａ(図２３参照)を介して液晶表示装置１３の表示面を前面側から視認し得るよう構成されている。ここで、実施例の裏ユニット４７に形成される前記可視表示部４７ａは、該裏ユニット４７の上下および左右幅の大部分が開口する大型の開口部である。なお、実施例の透明板４６は、アクリル樹脂により形成されている。また、図６には、透明板４６の裏側に位置する前記裏ユニット４７を破線で示してある。
【００２７】
(透明板について)
図６に示すように、前記透明板４６の前面には、内レール４８と外レール(レール)４９が半円弧状に配設されて、両レール４８,４９によりパチンコ球が流下可能な遊技領域４５ａが画成され、前記打球発射装置２３から発射されたパチンコ球が遊技領域４５ａ内に打ち出されるようになっている。前記外レール４９は、ステンレス等の金属を帯状に成形して構成されて導電性を備えている。また、前記透明板４６の下方位置には、図１に示す如く、前記遊技領域４５ａを流下するパチンコ球が入賞可能な始動入賞装置(入賞口)５０や特別入賞装置５１が配設されており、該始動入賞装置５０にパチンコ球が入賞することで、前記液晶表示装置１３において図柄変動ゲームが展開され、該図柄変動ゲームの結果、液晶表示装置１３に所定の図柄組合わせで図柄が停止表示されると、前記特別入賞装置５１の入賞口が開放して所謂大当りが発生し、多数の賞球を獲得し得るよう構成されている。更に、前記透明板４６の前面には、前記液晶表示装置１３において主に図柄変動ゲームが展開される領域を囲む庇状部材５２が配設されており、前記遊技領域４５ａに打ち出されたパチンコ球が液晶表示装置１３における図柄変動ゲームが展開される領域を横切って流下しないようになっている。
【００２８】
前記透明板４６の右側縁(図３８では、左方)には、右方に開放する切欠部４６ａが形成され、該切欠部４６ａに後述する第１アース部材５６の後方接触部５６ａが臨むようになっている(図４１(ｂ)参照)。
【００２９】
図１に示す如く、前記透明板４６の遊技領域４５ａには、前記庇状部材５２の外側位置に多数の遊技釘５３が植設される。また透明板４６の遊技領域４５ａには、液晶表示装置１３における図柄変動ゲームが展開される領域の下方で、前記始動入賞装置５０の上方位置に、図１に示す如く、遊技領域４５ａに開口する受入口から入球したパチンコ球を左右方向に転動させるステージ部材５４が配設される。このステージ部材５４の左右方向の中央に対応する位置に、パチンコ球を一旦裏側に通出案内した後に前側に通出する案内路５４ａが形成され、該案内路５４ａから通出したパチンコ球は、前記始動入賞装置５０への入賞確率が高くなるよう設定されている。
【００３０】
前記透明板４６において外レール４９の外側の領域には、当該領域を前面から覆うコーナー飾り５５が設けられている。このコーナー飾り５５は、図６に示すように、左上側の第１飾り５５ａ、左下側の第２飾り５５ｂおよび右側の第３飾り５５ｃから構成されている。各第１〜第３飾り５５ａ,５５ｂ,５５ｃは、前記遊技領域４５ａに臨む内周面が前記外レール４９に沿って湾曲形成されている。第３飾り５５ｃの裏側には、図３８および図３９に示すように、外レール４９の終端４９ａを収容可能な収容部５５ｄが前方に向けて凹設されている。そして、この収容部５５ｄに、外レール４９に生じた静電気をアースするための第１アース部材５６(後述)がネジ５７を介して取り付けられている。
【００３１】
(裏ユニットについて)
前記裏ユニット４７は、透視不能な合成樹脂材(例えばＡＢＳ樹脂)から、外郭形状が前記透明板４６と略整合する大きさおよび形状に形成され、該裏ユニット４７の略中央位置に前記可視表示部４７ａが開設された枠状に形成されている(図２４参照)。ここで、前記可視表示部４７ａは、上下の縁部が略水平に延在すると共に、左右側縁が開口外側へ向けて弧状に膨出する略小判状に開口するようになっている。なお、以下の説明では、前記裏ユニット４７において、前記可視表示部４７ａより上側の部位を上枠部５８と指称し、該可視表示部４７ａより下側の部位を下枠部５９と指称する。また、裏ユニット４７において、前記可視表示部４７ａの上下縁部の間(すなわち上下の枠部５８,５９の間)であって枢支端側(左端側)の枠部分を枢支端側枠部６０と指称し、可視表示部４７ａの上下縁部の間(すなわち上下の枠部５８,５９の間)であって開放端側(右端側)の枠部分を開放端側枠部６１と指称するものとする。
【００３２】
前記裏ユニット４７には、前記液晶表示装置１３の前面に当接して前方移動を規制する前側位置規制部(具体的には、後述する各発光装置１０９,１２０,１２５の基板カバー１１０,１２１,１２６)と、液晶表示装置１３の後面に当接して後方移動を規制する後側位置規制部(具体的には、後述のロック部材１５５,１５５)と、液晶表示装置１３の上面に当接して上方移動を規制する上側位置規制部(具体的には、後述の台座部材１５４)と、液晶表示装置１３の下面に当接して下方移動を規制する下側位置規制部(具体的には、後述の設置部材１３０)と、液晶表示装置１３の左右の側面に当接して側方移動を規制する側部位置規制部(具体的には、後述の規制壁１２１ａ,１２７)とからなる位置規制手段が設けられている。すなわち、各位置規制部１１０,１２１,１２６,１５５,１５５,１５４,１３０,１２１ａ,１２７により液晶表示装置１３が前後、左右および上下に移動するのを規制することで、液晶表示装置１３が所定の設置領域に保持されるようになっている。
【００３３】
（演出表示制御装置について）
前記演出表示制御装置３６は、前記液晶パネルでの表示を制御する演出表示制御基板(基板)４３、その他複数の中継基板６２,６３を、図８に示すような第２ケース体(基板ケース)６４に収容保護してケース単位で取り扱い得るようになっている。この第２ケース体６４は、前記液晶表示装置１３の裏面に対向するようセットされる皿状部材６５と、この皿状部材６５の開口面側に対して着脱可能に組み付けられるカバー状部材６６とから構成され、両者共に透明な合成樹脂材により一体成形されて、前記演出表示制御基板４３を皿状部材６５内に平板状の金属板材(取付板材)６７を介して敷設状態で収容すると共に、前記カバー状部材６６で覆蓋保護するようになっている。実施例では、第２ケース体６４と金属板材６７とによって、演出表示制御基板４３を液晶表示装置１３に取り付けるための取付部材が構成される。
【００３４】
（第２ケース体について）
前記皿状部材６５の枢支端側の側縁部(図１０において右側縁部)に、上下方向に離間して複数の係合片６５ａが外方(図１０の右方)に延出するよう形成されると共に、該皿状部材６５の開放端側の側縁部(図１０において左側縁部)には、上下方向に離間して複数の弾性変形可能な係止フック６５ｂが後方に延出するよう立設されている。これに対し、カバー状部材６６の枢支端側の側縁部(図８において右側縁部)に、前記各係合片６５ａと対応する位置に、該係合片６５ａを挿脱可能な係合孔６６ａが形成されると共に、該カバー状部材６６の開放端側の側縁部(図８において左側縁部)には、前記各係止フック６５ｂと対応する位置に、該係止フック６５ｂが係脱自在に係止する係止部６６ｂが形成されている。そして、各係合片６５ａを係合孔６６ａに挿通したカバー状部材６６の係止部６６ｂに、対応する係止フック６５ｂを夫々係止することで、皿状部材６５に対してカバー状部材６６が着脱自在に取り付けられるよう構成される。
【００３５】
前記皿状部材６５における内部裏面(金属板材６７の敷設面)には、複数のリブ６５ｃが立設され、該リブ６５ｃに金属板材６７の前面を当接した状態で(図１２参照)、前記カバー状部材６６を該皿状部材６５に取り付けることにより、該カバー状部材６６の内面に設けた複数の押付片(図示せず)が金属板材６７の裏面(設置面)に当接されて、該金属板材６７はガタ付きのない状態で第２ケース体６４内に収容保持されるようにしてある。
【００３６】
なお、前記皿状部材６５とカバー状部材６６との組み付け状態においては、該カバー状部材６６には、金属板材６７に配設されている各中継基板６２,６３に設けられた各ソケット７６,９１,１５３(後述)に対応する位置に挿通口６６ｃが夫々が形成され、各挿通口６６ｃを介して各ソケット７６,９１,１５３に対応するプラグ７７が着脱自在に差し込み接続されるよう構成される。またカバー状部材６６の上面部および下面部には、図８に示す如く、複数の空気孔６６ｄが穿設されており、第２ケース体６４内への外部空気の取り込みおよび内部空気の排出が可能に構成されている。
【００３７】
前記カバー状部材６６における枢支端側の側面(図８の右側面)に、板状の差込片６６ｅが外方に延出するよう形成されている。またカバー状部材６６における上下面における開放端側に、連結部６６ｆが夫々形成される。これに対し、前記液晶表示装置１３における第１ケース体３５の裏面における枢支端側に、前記差込片６６ｅが挿脱可能に差し込み得る差込口が開放端側に向けて開口する受部３５ｃが設けられると共に、該第１ケース体３５の開放端側には、上下に離間して一対の被連結部３５ｄ,３５ｄが設けられている(図９参照)。そして、カバー状部材６６の差込片６６ｅを受部３５ｃに差し込んで係合すると共に、各連結部６６ｆを対応する被連結部３５ｄに整合したもとで、連結部６６ｆおよび被連結部３５ｄを図示しない連結具(所謂ナイラッチ)で連結することで、液晶表示装置１３に対して演出表示制御装置３６が取り付けられる。なお、連結具による連結部６６ｆと被連結部３５ｄとの連結を解除することで、演出表示制御装置３６は液晶表示装置１３から取り外すことができる。
【００３８】
（インバータ基板について）
前記インバータ基板３７は、図８および図９に示す如く、前記演出表示制御装置３６における開放端側(中枠１２の他方の側部側)に隣接して、前記液晶表示装置１３の裏面にネジ止め固定されている。また液晶表示装置１３の裏面には、インバータ基板３７を被覆し、裏面が前記演出表示制御装置３６の裏面と同一レベルか、より後方に突出するインバータカバー６９が着脱自在に配設される。そして、インバータカバー６９の裏面に、前記統括制御装置３８が着脱自在に配設されている。なお、インバータ基板３７は、液晶表示装置１３(液晶パネル)の出力の大きさに応じたものが取り付けられるものであって、１５インチの液晶表示装置１３には１５インチ用のものが取り付けられ、１９インチの液晶表示装置１３には１９インチ用のものが取り付けられる。
【００３９】
（統括制御装置について）
前記統括制御装置３８は、発光装置１０７,１０８,１０９,１２０,１２５,１２８,１２９やスピーカ２２等の各種電気部品での演出を統括的に制御する統括制御基板３８ａを、第３ケース体３９に収容保護してケース単位で取り扱い得るよう構成される。この統括制御装置３８の幅寸法は、前記液晶表示装置１３の幅寸法から演出表示制御装置３６の幅寸法を引いた長さより大きい幅寸法に設定されているが、図４に示すように、該統括制御装置３８における枢支端側の一部を、前記演出表示制御装置３６の裏側に重ねるようにしてインバータカバー６９の裏面に取り付けることで、該統括制御装置３８が、液晶表示装置１３の幅方向の外方に突出しないよう構成され、前記中枠１２の開閉に支障を来たすことがないようにしてある。
【００４０】
前記統括制御基板３８ａには、演出用の電気部品、例えば前記スピーカ２２の音量(設定値)を調整する調整手段７０が、前記外枠１１に対して中枠１２を開放した際に操作可能に前記第３ケース体３９の裏側に突出して設けられている。また調整手段７０は、図４に示す如く、第３ケース体３９の幅方向の中央より左側(開放端側)に位置するよう設定され、外枠１１に対して中枠１２を開放した際に、該中枠１２の枢支端側からより離れた位置に臨むようにしてある。
【００４１】
（金属板材について）
前記第２ケース体６４に対する各基板４３,６２,６３の取付部材として機能する前記金属板材６７には、図１２に示す如く、前記皿状部材６５の内部裏面である金属板材６７の設置面からの離間距離が異なる第１取付部６７ａおよび第２取付部６７ｂが形成されている。そして、該金属板材６７は、設置面から離間する側の第１取付部６７ａを開放端側(インバータ基板側)に位置させると共に、設置面に近接する側の第２取付部６７ｂを枢支端側に位置させた姿勢で皿状部材６５に敷設されるようになっている。そして、第１取付部６７ａにおける皿状部材６５から離間する裏面に、図１０に示す如く、前記演出表示制御基板４３および第１中継基板(中継基板)６２が配設されると共に、前記第２取付部６７ｂの裏面に前記第２中継基板(別の基板)６３が配設される。実施例では、金属板材６７における第１取付部６７ａの上部に演出表示制御基板４３が配設されると共に、該演出表示制御基板４３の下方でかつ前記インバータ基板３７に隣接する開放端側に偏った位置に、該インバータ基板３７および演出表示制御基板４３にコネクタ接続される第１中継基板６２が配設される。また第２中継基板６３は、金属板材６７の第２取付部６７ｂにおける上部に配設され、該第２中継基板６３は、演出表示制御基板４３および前記液晶表示装置１３の表示制御基板(図示せず)にコネクタ接続されるようになっている。
【００４２】
なお、前記皿状部材６５に設けられる前記複数のリブ６５ｃは、金属板材６７における第１取付部６７ａに対応する位置に設けられ(図１２参照)、該第１取付部６７ａの前面と皿状部材６５の設置面とを所定長さだけ離間するよう構成される。
【００４３】
前記金属板材６７の第１取付部６７ａには、演出表示制御基板４３の４隅に形成された各窪み部８０(後述)に対応する位置の夫々にネジ孔７１が形成され、後述する段付きネジ８４をネジ孔７１に螺挿することで、演出表示制御基板４３が金属板材６７に取り付けられるようになっている。
【００４４】
（演出表示制御基板について）
矩形状に形成された前記演出表示制御基板４３には、遊技に関するプログラムが格納(記憶)される制御用ＲＯＭ(電子部品)７２、該プログラムによって実行されるデータが格納(記憶)されるデータ用ＲＯＭ(電子部品)７３、該プログラムを実行するＣＰＵ(電子部品)７４、その他コンデンサ７５等の各種電子部品が、裏側を向く実装面に実装されている。図１０に示す如く、演出表示制御基板４３の上部領域に、発熱量の多い複数のコンデンサ７５が纏めて配置されると共に、該演出表示制御基板４３の下部領域に、前記コンデンサ７５より発熱量が少なく、熱に弱い前記制御用ＲＯＭ７２、データ用ＲＯＭ７３およびＣＰＵ７４が纏めて配置され、これらＲＯＭ７２,７３およびＣＰＵ７４に格納されているプログラムやデータが、コンデンサ７５から発生する熱によって破壊されたり該ＣＰＵ７４が誤作動するのを抑制するよう構成してある。
【００４５】
前記演出表示制御基板４３の下端縁(所定位置の端縁)に近接する実装面に、前記ＲＯＭ７２,７３やＣＰＵ７４等に電気的に接続する第１ソケット(ソケット)７６が、接続口７６ａを実装面から離間する後側に向けて開口するよう配設される。そして、第１ソケット７６に、前記第２ケース体６４のカバー状部材６６に開設した挿通口６６ｃを介して、前記統括制御装置３８に電気的に接続する第１プラグ７７が着脱自在に差し込み接続される(図１２参照)。
【００４６】
また、前記第１ソケット７６の配設位置に近接する演出表示制御基板４３の実装面には、該実装面に沿う方向に向けて接続口７８ａが開口する第２ソケット７８が、該接続口７８ａを枢支端側の端縁に向けて設けられている。更に、演出表示制御基板４３の開放端側の端縁(第２取付部６７ｂ側の端縁)に近接する上部側の実装面に、該実装面に沿う方向に向けて接続口７９ａが開口する第３ソケット(別のソケット)７９が、該接続口７９ａを開放端側の端縁に向けて設けられる(図１０参照)。
【００４７】
前記演出表示制御基板４３の４隅部の夫々に窪み部８０が形成され、該窪み部８０に着脱自在に取り付けられた弾性体８１を介して、前記金属板材６７の第１取付部６７ａに対して演出表示制御基板４３が直に接触しない状態で取り付けられるよう構成される。各窪み部８０は、図１０に示す如く、前記弾性体８１の後述する小径嵌合部８１ｂの直径より小さい開口寸法で演出表示制御基板４３の端縁側に開口する入口部８０ａと、該小径嵌合部８１ｂの直径と略同一内径の収容部８０ｂとを有する。そして、少なくとも１つの窪み部８０は、演出表示制御基板４３の中央点を通る線分に対して他の窪み部８０とは非線対称となる位置に設けられる。実施例では、開放端側の下隅部に形成される窪み部８０が、他の窪み部８０と非線対称となっている。これにより、金属板材６７に対して演出表示制御基板４３を取り付ける際に、該演出表示制御基板４３の裏表および上下を反転した誤った姿勢で取り付けるのを防止するよう構成される。なお、他の窪み部８０と非線対称となる窪み部８０については、他の窪み部８０と区別する場合は、目印用窪み部８０と指称する場合もある。
【００４８】
また、前記演出表示制御基板４３の上側の左右両隅部に形成される各窪み部８０は、図１０に示す如く、上側の端縁側に各入口部８０ａが開口すると共に、下側の枢支端側(図１０の右側)の隅部に形成される窪み部８０は、下側の端縁側に入口部８０ａが開口するのに対し、下側の開放端側(図１０の左側)の隅部に形成される前記目印用窪み部８０は、開放端側の側端縁(第１中継基板６２に対向する端縁と交差する別の端縁)側に入口部８０ａが開口するよう設定される。更に、目印用窪み部８０における収容部８０ｂは、側端縁側に近接する位置に形成されて、前記弾性体８１の小径嵌合部８１ｂを収容部８０ｂに嵌合した際に、弾性体８１における後述する第１および第２保持部８２,８３の一部が側端縁から外方に突出するよう構成される。
【００４９】
（弾性体について）
前記演出表示制御基板４３の各窪み部８０に取り付けられる弾性体(電気絶縁体)８１は、図１３に示すように全体が円筒状に形成されると共に、軸方向の中間位置の外周に周溝８１ａが形成される。また弾性体８１は、前記周溝８１ａによって形成された小径嵌合部８１ｂの軸方向の両側に、該小径嵌合部８１ｂより大径円筒状の第１保持部８２および第２保持部８３が形成される。そして、小径嵌合部８１ｂを前記窪み部８０の収容部８０ｂに嵌合して演出表示制御基板４３に取り付けた際に、該演出表示制御基板４３の実装面側(表面側)に第１保持部８２が当接すると共に、該演出表示制御基板４３の実装面側とは反対面側(裏面側)に第２保持部８３が当接するよう構成される。
【００５０】
前記第１保持部８２における演出表示制御基板４３から離間する端面に、複数の第１突起８２ａが、周方向に離間して突設される。また第２保持部８３における演出表示制御基板４３から離間する端面に、複数の第２突起８３ａが、周方向に離間して突設される。第１突起８２ａおよび第２突起８３ａは、図１４に示す如く、何れも弾性体８１の軸中心に形成されている通孔８１ｃに近接する位置、および外周縁に近接する位置において周方向に離間して突設される。但し、通孔８１ｃに近接する位置に設けられる突起８２ａ,８３ａの数が、外周縁に近接する位置に設けられる突起８２ａ,８３ａの数より多く設定してある。
【００５１】
前記弾性体８１において、前記通孔８１ｃに近接する位置の第１突起８２ａと第２突起８３ａは、軸方向に整列するよう設定されるのに対し、外周縁に近接する位置の第１突起８２ａと第２突起８３ａとは、軸方向に整列しないよう設定される。また第１突起８２ａおよび第２突起８３ａは、突出端部が円弧状に形成されて、後述する段付きネジ８４の支持部８４ａおよび金属板材６７に対する接触面積が小さくなるよう構成される。なお、弾性体８１は、振動吸収性を有するウレタンゴム、その他高減衰特性を有する各種合成樹脂等を採用することができる。また、前記窪み部８０に取り付ける弾性体８１の向きについては、演出表示制御基板４３の実装面側(表面側)に第２保持部８３が当接すると共に、該演出表示制御基板４３の実装面側とは反対面側(裏面側)に第１保持部８２が当接する向きでもよく、その取り付け向きは限定されない。
【００５２】
（段付きネジについて）
前記弾性体８１を介して演出表示制御基板４３を金属板材６７に取り付ける取付手段としての段付きネジ８４は、図１３に示す如く、前記弾性体８１の第１突起８２ａに接触可能な支持部８４ａと、該支持部８４ａにおける第１突起８２ａとの接触面に延設される軸部８４ｂと、該軸部８４ｂの延出端に設けられて軸部８４ｂより小径のネジ部８４ｃとを有する。そして、弾性体８１の通孔８１ｃに軸部８４ｂを挿通して支持部８４ａと演出表示制御基板４３で第１保持部８２を挟むと共に、前記金属板材６７に弾性体８１の第２突起８３ａを接触させた状態で、金属板材６７に形成されたネジ孔７１にネジ部８４ｃを螺挿することで、第１保持部８２および第２保持部８３を挟んで金属板材６７に演出表示制御基板４３が取り付けられる。
【００５３】
前記段付きネジ８４は、前記ネジ部８４ｃを金属板材６７のネジ孔７１に螺挿した際に、前記軸部８４ｂの延出端が金属板材６７の設置面に当接して、該金属板材６７と支持部８４ａとの離間間隔を一定に保持するよう構成される。また、段付きネジ８４における軸部８４ｂの軸方向長さは、前記弾性体８１の軸方向の長さ寸法と略同一に設定される。これにより、段付きネジ８４を介して金属板材６７に弾性体８１が取り付けられた状態で、該弾性体８１の第１突起８２ａおよび第２突起８３ａは対応する支持部８４ａおよび金属板材６７に対して点接触するか、または僅かに潰れた状態で接触するよう構成される。実施例では、段付きネジ８４に設けられた軸部８４ｂとネジ部８４ｃとから、金属板材６７と支持部８４ａとの間隔を保持する間隔保持部が構成される。なお、前記ネジ部８４ｃの金属板材６７からの突出寸法は、前記皿状部材６５に形成された前記リブ６５ｃの高さ寸法より短かく設定され、該ネジ部８４ｃが皿状部材６５に接触しないようになっている(図１２参照)。
【００５４】
（金属板材の規制片および案内片について）
前記金属板材６７の第１取付部６７ａには、前記演出表示制御基板４３の下端縁側に、該演出表示制御基板４３に設けられた第１ソケット７６に着脱自在に差し込み接続される第１プラグ７７の引き抜き方向への演出表示制御基板４３の変位を規制する第１規制片(規制片)８５が形成されている。すなわち、第１規制片８５は、図１２に示す如く、演出表示制御基板４３に設けた第１ソケット７６の配設位置に近接する位置において、該演出表示制御基板４３の実装面に対向するよう形成される。そして、第１ソケット７６に差し込み接続されている第１プラグ７７を引き抜く際に、演出表示制御基板４３の実装面に当接して該制御基板４３の大きな変位(撓み)を規制するべく機能する。但し、第１規制片８５は、演出表示制御基板４３に負荷が加わっていない通常状態においては、該演出表示制御基板４３とは接触しないよう構成される。
【００５５】
前記金属板材６７には、前記演出表示制御基板４３における第１ソケット７６の配設位置に対応する位置に、該ソケット７６に対する第１プラグ７７の差し込み方向への演出表示制御基板４３の変位(撓み)を規制する第２規制片(第２の規制片)８６,８６が設けられている。実施例では、第１ソケット７６の左右方向の幅寸法に応じて左右に離間する一対の第２規制片８６,８６が、金属板材６７の設置面から所定長さだけ突出して形成される。但し、第２規制片８６,８６についても、演出表示制御基板４３に負荷が加わっていない通常状態においては、該演出表示制御基板４３とは接触しないよう構成される。
【００５６】
前記金属板材６７の第１取付部６７ａには、図１０に示す如く、前記演出表示制御基板４３の下端縁側および開放端側の側端縁側に対向する位置に、演出表示制御基板４３を金属板材６７に取り付ける際に対応する端縁に当接して該演出表示制御基板４３を仮位置決めする案内片８７が夫々形成されている。各案内片８７における金属板材６７の設置面からの突出寸法は、前記弾性体８１の小径嵌合部８１ｂから第２突起８３ａの先端までの軸方向寸法より長く設定されて、各窪み部８０に弾性体８１を嵌合した状態での演出表示制御基板４３の下端縁および開放端側の側端縁に、案内片８７が確実に当接可能に構成される。なお、各案内片８７は、演出表示制御基板４３を仮位置決めするものであって、演出表示制御基板４３が前記段付きネジ８４によって金属板材６７に取り付けられた状態では、演出表示制御基板４３に接触しないようになっている。
【００５７】
（第１中継基板について）
前記第１中継基板６２は、図１０に示すように矩形状に形成されて、各隅部に通孔６２ａが夫々穿設されている。これに対し、金属板材６７における第１取付部６７ａには、第１中継基板６２の配設部位に、第１中継基板６２の一方の対角線上に位置する２つの隅部に対応する部位に、設置面から所定長さで立ち上がる第１位置決め片８８が夫々形成される(図１１参照)。そして、第１中継基板６２の対応する通孔６２ａに第１位置決め片８８を挿通することで、第１中継基板６２が位置決めされる。また、第１取付部６７ａにおける第１中継基板６２の配設部位には、第１中継基板６７の他方の対角線上に位置する２つの隅部に対応する部位に、設置面から所定長さで立ち上がる第１固定片部８９が夫々形成される。各第１固定片部８９にはネジ孔８９ａが形成され、第１中継基板６２の対応する通孔６２ａに挿通したネジ９０を第１固定片部８９のネジ孔８９ａに螺挿することで、第１中継基板６２は、設置面から離間した状態で第１取付部６７ａに位置決め固定される。第１中継基板６２の後方を向く実装面には、略中央に接続口９１ａを後方に向けて開口する第４ソケット９１が配設されると共に、該第４ソケット９１より開放端側(インバータ基板側)に、実装面に沿う方向に向けて接続口９２ａが開口する第５ソケット９２が、該接続口９２ａを開放端側に向けて設けられている。
【００５８】
前記第４ソケット９１には、前記インバータ基板３７に電気的に接続する第２プラグ(図示せず)が、前記カバー状部材６６に形成された挿通口６６ｃを介して着脱自在に差し込み接続されるよう構成される。また、配線の両端に第３プラグ９３ａ,９３ａが配設された接続具９３における一方の第３プラグ９３ａが、図１０に示す如く、前記第１中継基板６２の第５ソケット９２に着脱自在に差し込み接続される。更に、この接続具９３の他方の第３プラグ９３ａは、前記演出表示制御基板４３に配設された第２ソケット７８に着脱自在に差し込み接続される。すなわち、インバータ基板３７と演出表示制御基板４３とは、第１中継基板６２を介して電気的に接続するよう構成される。
【００５９】
前記第１取付部６７ａにおける第１中継基板６２の配設部位には、前記第４ソケット９１に対応する位置に、設置面から所定長さで立上がる第１位置規制片９４が設けられる。この第１位置規制片９４は、第４ソケット９１に対して第２プラグを差し込む際に、第１中継基板６２が撓むのを規制するべく機能する。
【００６０】
（第２中継基板について）
前記第２中継基板６３は、図１０に示すように矩形状に形成されて、各隅部に通孔６３ａが夫々穿設されている。これに対し、金属板材６７における第２取付部６７ｂには、第２中継基板６３の配設部位に、第２中継基板６３における一の辺(図１０では下辺)の両側の隅部に対応する部位に、設置面から所定長さで立ち上がる第２位置決め片９５が夫々形成される。そして、第２中継基板６３の対応する通孔６３ａに第２位置決め片９５を挿通することで、第２中継基板６３が位置決めされる。また、第２取付部６７ｂにおける第２中継基板６３の配設部位には、第２中継基板６３の前記一の辺と対向する他の辺(図１０では上辺)の両側の隅部に対応する部位に、設置面から所定長さで立ち上がる第２固定片部９６が夫々形成される。各第２固定片部９６にはネジ孔９６ａが形成され、第２中継基板６３の対応する通孔６３ａに挿通したネジ９０を第２固定片部９６のネジ孔９６ａに螺挿することで、第２中継基板６３は、設置面から離間した状態で第２取付部６７ｂに位置決め固定される。
【００６１】
前記第２中継基板６３に電気的に接続する第４プラグ(別のプラグ)９７が、前記演出表示制御基板４３に配設されている前記第３ソケット７９に着脱自在に差し込み接続されている。また、第２中継基板６３には、前記液晶表示装置１３の表示制御基板に電気的に接続する第５プラグ(図示せず)が着脱自在に接続される第６ソケット１５３が配設されている。
【００６２】
（制御用ＲＯＭ）
前記演出表示制御基板４３に実装される前記制御用ＲＯＭ７２は、図１５(ａ)に示す如く、ＲＯＭ本体７２ａの左右両側から複数のピン７２ｂが斜め下方に向けて延出するよう設けられたピンタイプのＲＯＭであって、該ピン７２ｂを演出表示制御基板４３の実装面に設けられた端子(接触部９９)に着脱自在に差し込み接続するよう構成される。なお、制御用ＲＯＭ７２のピン７２ｂは、図１７に示す如く、略クランク状に形成されると共に、幅寸法は一様に設定される。
【００６３】
前記演出表示制御基板４３の実装面には、前記制御用ＲＯＭ７２が着脱自在に装着されるＲＯＭ用ソケット９８が配設されている。ＲＯＭ用ソケット９８は、図１５〜図１７に示す如く、演出表示制御基板４３に固定される本体９８ａに、演出表示制御基板４３に近接する位置から離間するにつれて拡開して演出表示制御基板４３から離間する端部で開口する略Ｖ字状の受溝９８ｂが、制御用ＲＯＭ７２のピン７２ｂと同数だけ形成されている。各受溝９８ｂの内面には、演出表示制御基板４３に形成された電気回路に電気的に接続する金属薄片からなる弾性変形可能な接触部(端子)９９が延在するように配設される。すなわち接触部９９は、受溝９８ｂと同様に、演出表示制御基板４３に近接する位置から離間するにつれて拡開して演出表示制御基板４３から離間する端部で開口する略Ｖ字状に形成され、ピン７２ｂの抜き差し方向に延在している。そして、制御用ＲＯＭ７２のピン７２ｂを、受溝９８ｂにおける演出表示制御基板４３から離間する端部の開口(入口)から該受溝９８ｂに差し込むことで、該ピン７２ｂは接触部９９に接触するよう構成される。
【００６４】
前記受溝９８ｂにおける入口の開口幅は、前記記制御用ＲＯＭ７２のピン７２ｂの幅寸法より僅かに大きく設定されて、該ピン７２ｂの差し込みを可能としている。これに対し、受溝９８ｂの内面に沿って配設される略Ｖ字状の接触部９９における最大幅寸法(入口の開口幅)は、ピン７２ｂの幅寸法より小さく設定される。これにより、受溝９８ｂにピン７２ｂを差し込む際には、該ピン７２ｂにより接触部９９を弾性変形しつつ差し込むこととなり、受溝９８ｂに差し込まれたピン７２ｂは、常に接触部９９が弾性的に接触した状態に保持されるようになっている。
【００６５】
（データ用ＲＯＭおよび実装保持部材について）
前記演出表示制御基板４３に実装される前記データ用ＲＯＭ７３は、図２０に示す如く、薄板状のカード型のＲＯＭであって、カード本体７３ａの一面に、複数のＲＯＭ側接続端子７３ｂが露出して設けられている。これに対し、演出表示制御基板４３の実装面には、前記データ用ＲＯＭ７３が着脱自在に実装される実装保持部材１００が配設される。この実装保持部材１００は、図２０および図２１に示す如く、演出表示制御基板４３の実装面に配設固定された基台１０１と、この基台１０１における演出表示制御基板４３から離間する表面から突出し、前記データ用ＲＯＭ７３のＲＯＭ側接続端子７３ｂに接触可能な弾性変形可能な保持側接続端子１００ａと、基台１０１に配設されて解除位置と固定位置とに姿勢変化する押圧部材１０２とを基本的に備える。前記ＲＯＭ側接続端子７３ｂは、保持側接続端子１００ａに対する接触可能な面積が、該保持側接続端子１００ａの接触可能な面積より広く設定され、ＲＯＭ側接続端子７３ｂが所要範囲で位置ズレしても両接続端子７３ｂ,１００ａの接触状態を維持し得るよう構成される。なお、実施例とは逆に、保持側接続端子１００ａの接触可能な面積を、ＲＯＭ側接続端子７３ｂの接触可能な面積より広く設定してもよい。
【００６６】
前記押圧部材１０２は、図１８に示す如く、前記基台１０１の表面側に位置する前記データ用ＲＯＭ７３の他面に当接可能な矩形枠状の押圧部１０２ａを備え、押圧部材１０２の解除位置(図２０参照)では、前記データ用ＲＯＭ７３の一面を基台表面に対向してＲＯＭ側接続端子７３ｂが保持側接続端子１００ａに接触する状態に、該データ用ＲＯＭ７３を位置させるのを許容するよう構成される。そして、押圧部材１０２を解除位置から固定位置(図２１参照)に姿勢変化することで、該データ用ＲＯＭ７３を基台表面に近接させてＲＯＭ側接続端子７３ｂを保持側接続端子１００ａに圧接する状態に保持するようになっている。
【００６７】
前記押圧部材１０２における押圧部１０２ａの一端(図１８の下端)には、左右方向に離間して一対のアーム部１０３,１０３が形成されると共に、両アーム部１０３,１０３の相互に離間する端面に軸ピン１０３ａ,１０３ａが突設されている。前記基台１０１には、押圧部１０２ａの一端と対応する位置に、前記両アーム部１０３,１０３を挟むように一対の枢支台部１０４,１０４が設けられると共に、両枢支台部１０４,１０４の相互に対向する端面部に、図２０に示す如く、略Ｌ字状の係合溝１０４ａが夫々形成されている。そして、押圧部材１０２の両アーム部１０３,１０３の軸ピン１０３ａ,１０３ａを、係合溝１０４ａ,１０４ａにおける演出表示制御基板４３に対する近接離間方向に延在する縦溝に挿入することで、該押圧部材１０２が基台１０１に対して回動自在に取り付けられるようになっている。また押圧部材１０２を、前記押圧部１０２ａでデータ用ＲＯＭ７３を基台表面に近接させてＲＯＭ側接続端子７３ｂを保持側接続端子１００ａに圧接する押圧位置まで回動した状態において、両アーム部１０３,１０３の軸ピン１０３ａ,１０３ａが、係合溝１０４ａ,１０４ａにおける基台表面に沿って延在する横溝内を移動するのが許容されるようになっており、この姿勢で押圧部材１０２を基台表面に沿ってスライドすることで前記固定位置に移動するよう構成される。
【００６８】
前記基台１０１における左右両側面には、前記押圧部材１０２のスライド方向に離間して複数(実施例では２つであるが３つ以上であってもよい)のＲＯＭ用係止部１０１ａが夫々設けられる。また、前記押圧部１０２ａの左右両側に、基台側に延出する側壁１０５が夫々設けられると共に、両側壁１０５,１０５には、各ＲＯＭ用係止部１０１ａと対応する位置にＲＯＭ用被係止部１０５ａが夫々設けられている。ＲＯＭ用被係止部１０５ａは、前記押圧部材１０２を回動して解除位置と押圧位置との間を姿勢変化する際には、ＲＯＭ用係止部１０１ａと干渉しない位置に設けられ、押圧部材１０２を押圧位置から固定位置に向けてスライドすることで、各ＲＯＭ用被係止部１０５ａが対応するＲＯＭ用係止部１０１ａに係合して、押圧部材１０２を固定位置に係止保持するよう構成される(図１９参照)。実施例では、ＲＯＭ用係止部１０１ａとＲＯＭ用被係止部１０５ａとから係止手段が構成される。
【００６９】
(裏ユニットの上枠部について)
図２６に示すように、前記裏ユニット４７における上枠部５８の前面には、文字等を表わした光装飾部１０６が設けられると共に、該光装飾部１０６の左右両側部に上下方向に揺動する第１可動発光装置１０７が夫々配設されている。また、上枠部５８の前側には、第１の発光装置１０８が配設される。更にまた、上枠部５８の裏側に、光装飾部１０６に対応する上部発光装置１０９および該上部発光装置１０９における上部ＬＥＤ基板１３５(後述)の裏側を保護する上部基板カバー１１０が配設される。
【００７０】
ここで、前記光装飾部１０６は、光透過性および光拡散性を有する複数のレンズ部１０６ａにより、文字「Ｃ」、「Ｏ」、「Ｂ」、「Ｒ」、「Ａ」を表わしたものである。なお、光装飾部１０６については、文字に限らずパチンコ機のモチーフとなるキャラクター等の図柄を表示するものであってもよいことは勿論である。そして、前記上枠部５８において光装飾部１０６と前後に対応する位置には、前後に開口する開口部１１１(図２４参照)が開設されて、該開口部１１１を介して光装飾部１０６の後方から上部発光装置１０９の上部ＬＥＤ１３５ａが臨むようになっている。
【００７１】
前記上枠部５８の前側には、前記透明板４６に面する前面部１１２ａおよび該前面部１１２ａの可視表示部４７ａから離間する端縁から前方に延出して円弧状に延在する張出し面部１１２ｂからなる第１の設置部１１２が形成されている。第１の設置部１１２における前面部１１２ａには、張出し面部側から可視表示部４７ａに向かうにつれて前方へ突出するよう湾曲状に形成され、第１の発光装置１０８の後述する第１のＬＥＤ１１４ａからの照射光を前方へ反射させる第１のリフレクタ１１３が、張出し面部１１２ｂ(円形の遊技領域４５ａ)の周縁に沿う周方向に離間して複数設けられている。
【００７２】
前記第１の設置部１１２の前面部１１２ａにおける張出し面部側の縁部には、図２８または図２９に示す如く、第１の発光装置１０８における第１のＬＥＤ基板１１４の後方に臨む側縁部を収容可能な第１収容部１１５が、前記各第１のリフレクタ１１３と対応する位置に形成されている。また、前面部１１２ａにおける各第１収容部１１５と対応する位置には、該第１収容部１１５に連通する第２収容部１１６が対応する第１のリフレクタ側に形成されており、該第２収容部１１６には、第１のＬＥＤ基板１１４に実装した第１のＬＥＤ１１４ａの後方に臨む一部が収容可能になっている。実施例では、第１および第２収容部１１５,１１６は、前後に貫通する孔となっているが、後側が閉塞されている凹部であってもよく、第１のＬＥＤ基板１１４および第１のＬＥＤ１１４ａを収容し得るものであればよい。また、前記第１の設置部１１２の前面部１１２ａには、各第１のリフレクタ１１３の左右両側(周方向の両側)に第１の区画壁１１７,１１７が夫々立設されて、第１のリフレクタ１１３に向けて照射された第１のＬＥＤ１１４ａの光がリフレクタ外に漏れるのを該第１の区画壁１１７,１１７で防止するよう構成される。
【００７３】
前記第１の設置部１１２には、周方向に離間する第１のリフレクタ１１３,１１３の間に、第１のＬＥＤ基板１１４を位置めする位置決め保持部１１８が設けられ、該位置決め保持部１１８によって第１のＬＥＤ基板１１４を張出し面部１１２ｂに沿った状態に保持するよう構成される。なお、前記上部枠５８における第１の設置部１１２が形成される部位の裏側には、前記中枠１２に対して遊技盤４５を取り付けた際には、該中枠１２の球タンク２８が略隙間のない状態で臨んでいる(図４０(ｂ)参照)。
【００７４】
前記上枠部５８における開放端側の裏面に、前記液晶表示装置１３の上方移動を規制する上側位置規制部としての台座部材１５４が配設されている。そして、この台座部材１５４の後端面に、液晶表示装置１３の後方移動を規制する後側位置規制部としてのロック部材１５５が回動自在に配設されている(図４参照)。このロック部材１５５は、液晶表示装置１３の裏面(支持部３５ｂ)に当接する係止位置と、係止状態が解除される解除位置との間を回転変位可能に構成され、該ロック部材１５５を解除位置にしたもとで、遊技盤４５に対して液晶表示装置１３が着脱される。
【００７５】
(枢支端側枠部について)
前記裏ユニット４７における枢支端側枠部６０の裏面には、図３２に示すように、上下に離間する２箇所に、前記液晶表示装置１３に形成した前記係止突部３５ａ,３５ａを挿脱可能な差込み受部１１９,１１９が後方へ突出するよう形成されている。そして、該枢支端側枠部６０の裏面に、第２の枢支側発光装置１２０と、該第２の枢支側発光装置１２０における第２のＬＥＤ基板１４０の裏側を保護する第２の枢支側基板カバー１２１が配設される。なお、第２の枢支側基板カバー１２１の裏面に、液晶表示装置１３の枢支端側の側面に当接して側方移動を規制する第１の規制壁１２１ａが突設されている。
【００７６】
前記枢支端側枠部６０の前側には、裏ユニット４７の前面(透明板４６の裏面)から後退する第２の設置部１２２が設けられており、該第２の設置部１２２には、前後方向に貫通する通孔１２２ａが、可視表示部４７ａの開口縁(縁辺)に沿う周方向に離間して複数形成されている。第２の設置部１２２の前面には、各通孔１２２ａの外周囲に臨む前面に、光を前方へ反射させる第２のリフレクタ１２３が設けられている。また、前記第２の設置部１２２の前面には、各第２のリフレクタ１２３の上下両側(周方向の両側)に第２の区画壁１２４,１２４が夫々立設されて、第２のリフレクタ１２３から反射した光がリフレクタ外に漏れるのを該第２の区画壁１２４,１２４で防止するよう構成される。
【００７７】
(開放端側枠部について)
前記裏ユニット４７における開放端側枠部６１の裏面には、図３３に示すように、第２の開放側発光装置１２５と、該第２の開放側発光装置１２５における第２のＬＥＤ基板１４０の裏側を保護する第２の開放側基板カバー１２６が配設される。なお、第２の開放側基板カバー１２６の裏面に、液晶表示装置１３の開放端側の側面に当接して側方移動を規制する第２の規制壁１２７が上下方向に所定長さ寸法で突設されている。
【００７８】
前記開放端側枠部６１の前側には、前記枢支端側枠部６０に設けられた第２の設置部１２２、第２のリフレクタ１２３および第２の区画壁１２４,１２４が対称の関係で設けられている。
【００７９】
(下枠部について)
図２７に示すように、前記裏ユニット４７の下枠部５９には、前記透明板４６に配設された前記始動入賞装置５０および特別入賞装置５１の後方を挿通する挿通孔が前後に開口するよう形成されて、該挿通孔に挿通させた始動入賞装置５０の左右両側に位置するよう、左右方向に揺動する第２可動発光装置１２８,１２８が配設されている。また、前記下枠部５９の裏側には、第３の発光装置１２９および前方に開口する横長矩形箱状に形成された基板カバーを兼用する設置部材１３０が配設されており、該設置部材１３０の内部に前記始動入賞装置５０、特別入賞装置５１および第２可動発光装置１２８,１２８が収容されている。
【００８０】
前記下部枠５９の前側には、裏ユニット４７の前面(透明板４６の裏面)から後退する第３の設置部１３１が設けられており、該第３の設置部１３１には、前後方向に貫通する通孔１３１ａが、可視表示部４７ａの開口縁(縁辺)に沿う周方向に離間して複数形成されている。第３の設置部１３１の前面には、各通孔１３１ａの外周囲に臨む前面に、光を前方へ反射させる第３のリフレクタ１３２が設けられている。また、前記第３の設置部１３１の前面には、各第３のリフレクタ１３２の左右両側(周方向の両側)に第３の区画壁１３３,１３３が夫々立設されて、第３のリフレクタ１３２から反射した光がリフレクタ外に漏れるのを該第３の区画壁１３３,１３３で防止するよう構成される。なお、実施例では、前記始動入賞装置５０の左右両側に第３の設置部１３１が夫々形成されている。
【００８１】
前記設置部材１３０における開放端側の裏面には、前記上枠部５８に設けた台座部材１５４およびロック部材１５５と同じものが設けられている(図４参照)。なお、設置部材１３０は、液晶表示装置１３の下方移動を規制する下側位置規制部として機能する。
【００８２】
(円環状装飾部について)
前記裏ユニット４７の前側には、図２６に示すように、前記上枠部５８、下枠部５９、枢支端側枠部６０および開放端側枠部６１の夫々に亘って環状に延在する円環状装飾部１３４が設けられている。この円環状装飾部１３４は、前記可視表示部４７ａの外周を囲うように弧状に設けられた前記第１の設置部１１２、第２の設置部１２２,１２２および第３の設置部１３１,１３１と対応して設けられる。また円環状装飾部１３４は、光透過性および光拡散性を有する複数のレンズ部１３７ａ,１４１ａ,１４５ａを周方向に所定間隔離間して配置し、各レンズ部１３７ａ,１４１ａ,１４５ａの間を装飾カバー１３９,１４３,１４７で覆うよう構成される。そして、前記円環状装飾部１３４の内側に、前記光装飾部１０６、第１可動発光装置１０７および第２可動発光装置１２８の夫々が位置するよう構成されている。また、前記円環状装飾部１３４は、前記透明板４６に形成される略円形の遊技領域４５ａの内側において、該遊技領域４５ａの周縁に沿うように設けられており、裏ユニット４７を透明板４６に取り付けた際に、該透明板４６を介して、光装飾部１０６、第１可動発光装置１０７、第２可動発光装置１２８、円環状装飾部１３４および可視表示部４７ａに臨む液晶表示装置１３の表示面の夫々が前側から視認されるようになっている。
【００８３】
(発光装置について)
図２７に示すように、前記上枠部５８の前側に、上枠部５８側に位置するレンズ部１３７ａを発光させる前記第１の発光装置１０８が配設されると共に、上枠部５８の裏側には、前記光装飾部１０６を発光させる前記上部発光装置１０９が配設される。また、前記枢支端側枠部６０の裏側には、該枢支端側枠部６０側に位置する各レンズ部１４１ａを発光させる前記第２の枢支側発光装置１２０が配設され、前記開放端側枠部６１の裏側には、該開放端側枠部６１側に位置する各レンズ部１４１ａを発光させる前記第２の開放側発光装置１２５が配設され、前記下枠部５９の裏側には、該下枠部５９側に位置する各レンズ部１４５ａを発光させる前記第３の発光装置１２９が配設される。そして、上部発光装置１０９、第２の枢支側発光装置１２０および第２の開放側発光装置１２５の後方に、前記液晶表示装置１３が配置されている。
【００８４】
(上部発光装置について)
前記上部発光装置１０９は、前記裏ユニット４７の上枠部５８の裏側に配置され、表面に複数の上部ＬＥＤ１３５ａが実装され、前記第１可動発光装置１０７,１０７の間に位置する上部ＬＥＤ基板１３５と、該上部ＬＥＤ基板１３５の裏側を覆う上部基板カバー１１０とから構成されており、前記上枠部５８における前記光装飾部１０６と対応する位置に開設した開口部１１１を介して、各上部ＬＥＤ１３５ａが光装飾部１０６の裏側に対向するようになっている。なお、実施例では、文字「Ｃ」に対応する位置には５個の上部ＬＥＤ１３５ａが配置されると共に、文字「Ｏ」、「Ｂ」、「Ｒ」、「Ａ」の夫々に対応する位置には６個の上部ＬＥＤ１３５ａが配置されている。ここで、文字「Ｃ」に対応する５個の上部ＬＥＤ１３５ａは、全てが直列に接続されたＬＥＤ群をなすよう構成され、文字「Ｏ」、「Ｂ」、「Ｒ」、「Ａ」の夫々に対応する６個の上部ＬＥＤ１３５ａは、３個の上部ＬＥＤ１３５ａずつが直列に接続されて、直列接続された３個の上部ＬＥＤ１３５ａ毎にＬＥＤ群をなすよう構成されている。従って、上部ＬＥＤ基板１３５には、９個の独立したＬＥＤ群が設けられている。そして、前記統括制御装置３８からの制御信号に基づいて、各ＬＥＤ群毎にスタティック駆動制御されるようになっている。
【００８５】
また、前記上枠部５８の前側には、前記光装飾部１０６および第１可動発光装置１０７,１０７の前側を装飾する上部装飾カバー１３６が配設されている。上部装飾カバー１３６には、導電性を有するメッキが施されて、前記円環状装飾部１３４における上側に位置する第１の装飾カバー１３９(後述)に接触するよう配置される。
【００８６】
(第１の発光装置について)
図２８(ａ)および図２９に示すように、前記第１の発光装置１０８は、前記裏ユニット４７の上枠部５８に設けた前記第１の設置部１１２に配置され、表面(実装面)に、該実装面と交差する方向に光を照射する複数の第１のＬＥＤ(発光手段)１１４ａが実装される第１のＬＥＤ基板１１４から構成される。この第１のＬＥＤ基板１１４は、フレキシブル基板で構成されて、裏面(実装面とは反対の面)を前記第１の設置部１１２の張出し面部１１２ｂに対向する姿勢で、該張出し面部１１２ｂに沿って湾曲して配設される。すなわち、第１の設置部１１２に第１のＬＥＤ基板１１４を配設した状態では、当該第１のＬＥＤ基板１１４が前面部１１２ａと交差(直交)すると共に、前記第１のＬＥＤ１１４ａからの光照射方向が、前記可視表示部４７ａを向くようになっている。また第１のＬＥＤ基板１１４に実装される各第１のＬＥＤ１１４ａは、前記前面部１１２ａに設けられた各第１のリフレクタ１１３に対応するように位置し、該第１のＬＥＤ１１４ａからの光は、対応する第１のリフレクタ１１３の湾曲面に向けて照射されるよう構成される。なお、第１のＬＥＤ基板１１４に配設された各第１のＬＥＤ１１４ａは、前記統括制御装置３８からの制御信号に基づいてダイナミック駆動制御されて、第１のＬＥＤ１１４ａ毎に独立して発光制御し得るようになっている。また第１のＬＥＤ１１４ａとしては、多色発光し得るものが好適に採用される。
【００８７】
前記第１のＬＥＤ基板１１４の幅寸法(第１の設置部１１２に配設した姿勢での前後寸法)は、第１のＬＥＤ１１４ａの幅と略同一に設定されて、当該第１のＬＥＤ基板１１４を配設するのに要する前後スペースを極力小さくし得るようにしてある。更に、第１のＬＥＤ基板１１４における後側の端縁部には、図２５に示す如く、各第１のＬＥＤ１１４ａの実装位置の間に第１切欠部１１４ｂが形成されており、隣り合う第１切欠部１１４ｂ,１１４ｂの間の突部１１４ｃが、前記第１の設置部１１２の第１収容部１１５に収容されて、前記前面部１１２ａから前方への第１のＬＥＤ基板１１４の突出寸法を小さくするよう構成される(図２５参照)。また、突部１１４ｃを第１収容部１１５に収容することで、当該第１のＬＥＤ基板１１４の張出し面部１１２ｂに沿う方向への移動規制を行なうようになっている。更にまた、第１のＬＥＤ基板１１４における前側の端縁部には、長手方向に離間して複数の第２切欠部１１４ｄが形成されており、該第２切欠部１１４ｄに、後述する第１のレンズカバー１３７の凸部１３７ｄが前側から嵌合して、第１のＬＥＤ１１４ａの前後および張出し面部１１２ｂに沿う方向への移動規制がなされるよう構成してある。
【００８８】
（第１のレンズカバーについて）
前記第１の設置部１１２の前側には、該第１の設置部１１２における張出し面部１１２ｂに沿う弧状に形成された第１のレンズカバー１３７が配設される。この第１のレンズカバー１３７には、図３４に示す如く、長手方向に離間して複数の第１のレンズ部１３７ａが設けられ、各第１のレンズ部１３７ａの夫々が、前記各第１のリフレクタ１１３と対応するようになっている。すなわち、第１のレンズカバー１３７を第１の設置部１１２の前側に配設した状態で、各第１のレンズ部１３７ａによって、対応する第１のリフレクタ１１３および第１のＬＥＤ１１４ａの前方を覆うよう構成される。第１のレンズ部１３７ａにおける第１のリフレクタ１１３と対向する裏面に、該リフレクタ１１３からの反射光を拡散させる第１の光拡散シート１３８が配設されている(図２９参照)。
【００８９】
前記第１のレンズカバー１３７における隣り合う第１のレンズ部１３７ａ,１３７ａの間には、図３５に示す如く、後方に突出する段部１３７ｂが設けられ、各段部１３７ｂが、前記第１の設置部１１２における前面部１１２ａに立設された前記第１の区画壁１１７,１１７の間の第１のリフレクタ１１３が臨まない部分に嵌合されている。また複数の段部１３７ｂに位置決め孔１３７ｃが穿設されており、該位置決め孔１３７ｃに、前面部１１２ａに突設したボス１１２ｃを嵌挿することで、第１の設置部１１２に対する第１のレンズカバー１３７の位置決めがなされるようになっている。更に、第１のレンズカバー１３７の張出し面部１１２ｂに臨む外周面に、周方向に離間して複数の凸部１３７ｄが突設され、各凸部１３７ｄが、前記第１のＬＥＤ基板１１４の第２切欠部１１４ｄに前側から嵌合して、第１のレンズカバー１３７に対する第１のＬＥＤ基板１１４(第１のＬＥＤ１１４ａ)の位置決めを行なうよう構成される。
【００９０】
（第１の装飾カバーについて）
前記第１の設置部１１２の前側には、前記第１のレンズカバー１３７の前側を覆うように、第１の設置部１１２の張出し面部１１２ｂに沿う弧状に形成された第１の装飾カバー１３９が配設される。この第１の装飾カバー１３９は、光を透過しない材料から形成されると共に、全体に導電性を有するメッキが施されている。また第１の装飾カバー１３９には、図３６および図３７に示す如く、長手方向に離間して複数の透口１３９ａが開設され、各透口１３９ａを介して対応する第１のレンズ部１３７ａが前側に露出するよう構成される。すなわち、前記第１の発光装置１０８を発光した際には、第１の装飾カバー１３９の透口１３９ａに臨む第１のレンズ部１３７ａのみが発光状態で前側から視認されるようになっている。
【００９１】
前記第１の装飾カバー１３９における各透口１３９ａの間に臨む前面は、前記透明板４６と平行となるよう形成されると共に、該第１の装飾カバー１３９を第１の設置部１１２に配設した際には、該カバー前面が裏ユニット４７の前面と面一となるよう設定される。そして、第１の装飾カバー１３９の前面が面一部１３９ｂとされ、裏ユニット４７を透明板４６の裏面に取り付けた際に、該透明板４６の裏面に面一部１３９ｂが接触するよう構成され、透明板４６に帯電している静電気が第１の装飾カバー１３９に流れ得るようになっている。
【００９２】
(第２の枢支側発光装置について)
図３２に示すように、前記第２の枢支側発光装置１２０は、前記裏ユニット４７の枢支端側枠部６０の裏側に配置され、表面(実装面)に、該実装面と交差する方向に光を照射する複数の第２のＬＥＤ(第２の発光手段)１４０ａが実装される第２のＬＥＤ基板１４０と、該第２のＬＥＤ基板１４０の裏面側を覆う第２の枢支側基板カバー１２１とから構成される。この第２のＬＥＤ基板１４０は、第２の設置部１２２に沿って湾曲する形状に形成されると共に、該第２のＬＥＤ基板１４０に実装される第２のＬＥＤ１４０ａの夫々は、第２の設置部１２２に開設された各通孔１２２ａと対応するように位置している。そして、第２のＬＥＤ基板１４０は、実装面を第２の設置部１２２の裏面に対向した状態で配設されて、該第２のＬＥＤ基板１４０に配設された各第２のＬＥＤ１４０ａの夫々が、第２の設置部１２２に開設された対応する通孔１２２ａを介して前側に臨むよう構成される(図２７,図３０参照)。すなわち、第２の設置部１２２に配設した第２の枢支側発光装置１２０では、第２のＬＥＤ１４０ａの光照射方向は前方に向くようになっている。なお、第２のＬＥＤ基板１４０に配設された各第２のＬＥＤ１４０ａは、前記統括制御装置３８からの制御信号に基づいてダイナミック駆動制御されて、第２のＬＥＤ１４０ａ毎に独立して発光制御し得るようになっている。また、第２のＬＥＤ１４０ａとしては、多色発光し得るものが好適に採用される。
【００９３】
（第２のレンズカバーについて）
前記第２の設置部１２２の前側には、該第２の設置部１２２に沿う弧状に形成された第２のレンズカバー１４１が配設される。この第２のレンズカバー１４１には、図３４に示す如く、長手方向に離間して複数の第２のレンズ部１４１ａが設けられ、各第２のレンズ部１４１ａの夫々が、前記各第２のリフレクタ１２３と対応するようになっている。すなわち、第２のレンズカバー１４１を第２の設置部１２２の前側に配設した状態で、各第２のレンズ部１４１ａによって、対応する第２のリフレクタ１３２および第２のＬＥＤ１４０ａの前方を覆うよう構成される。また第２のレンズカバー１４１には、長手方向に離間して複数の位置決め孔１４１ｂが穿設されており、該位置決め孔１４１ｂに、第２の設置部１２２の前面に突設したボス１２２ｂを嵌挿することで、第２の設置部１２２に対する第２のレンズカバー１４１の位置決めがなされるようになっている。また第２のレンズカバー１４１の前面は、可視表示部４７ａに近接する側から離間する側に向けて前方傾斜するよう形成されると共に、該第２のレンズカバー１４１の裏面に、前記第２の区画壁１２４の前端面が当接するよう構成される。
【００９４】
前記第２のレンズ部１４１ａにおける第２のリフレクタ１２３と対向する裏面に、前記第２のＬＥＤ１４０ａからの照射光および第２のリフレクタ１２３からの反射光を拡散させる第２の光拡散シート１４２が配設されている(図３０参照)。また第２のレンズ部１４１ａの裏面には、前記第２のＬＥＤ１４０ａからの照射光を可視表示部４７ａに対する近接離間方向に直線状に拡散させるレンズカットが形成される。実施例では、弧状に形成されている第２のレンズカバー１４１において、各第２のレンズ部１４１ａで、第２のＬＥＤ１４０ａからの照射光が、可視表示部４７ａの中央からの放射線に沿って延在するように拡散するようにしてある。前記レンズカットとしては、弧状に延在する山形突部を、可視表示部４７ａに対する近接離間方向に並列に形成したものが挙げられるが、その他の形状であってもよい。
【００９５】
（第２の装飾カバーについて）
前記第２の設置部１２２の前側には、前記第２のレンズカバー１４１の前側を覆うように、第２の設置部１２２に沿う弧状に形成された第２の装飾カバー１４３が配設される。この第２の装飾カバー１４３の前面は、第２のレンズカバー１４１の前面に対応するように可視表示部４７ａから離間するにつれて前方に傾斜している。また第２の装飾カバー１４３は、光を透過しない材料から形成されると共に、全体に導電性を有するメッキが施されている。更に、第２の装飾カバー１４３には、図３６および図３７に示す如く、長手方向に離間して複数の透口１４３ａが開設され、各透口１４３ａを介して対応する第２のレンズ部１４１ａが前側に露出するよう構成される。すなわち、前記第２の枢支側発光装置１２０を発光した際には、第２の装飾カバー１４３の透口１４３ａに臨む第２のレンズ部１４１ａのみが発光状態で前側から視認されるようになっている。
【００９６】
前記第２の装飾カバー１４３の上端部は、前記第１の装飾カバー１３９の対応する枢支側端部にネジ止め固定されて、電気的に接続するよう構成される。また、第２の装飾カバー１４３における外縁側の前面は、前記透明板４６と平行となるよう形成されると共に、該第２の装飾カバー１４３を第２の設置部１２２に配設した際には、該第２の装飾カバー１４３の外縁側前面が裏ユニット４７の前面と面一となるよう設定される。そして、裏ユニット４７を透明板４６の裏面に取り付けた際に、第２の装飾カバー１４３の外縁側前面が透明板４６の裏面に接触して、透明板４６に帯電している静電気が第２の装飾カバー１４３を介して第１の装飾カバー１３９に流れ得るようになっている。
【００９７】
(第２の開放側発光装置について)
前記第２の開放側発光装置１２５は、その基本的な構成は前記第２の枢支側発光装置１２０と同じであって、該第２の開放側発光装置１２５は、前記裏ユニット４７の開放端側枠部６１の裏側に配置され、表面(実装面)に、該実装面と交差する方向に光を照射する複数の第２のＬＥＤ(第２の発光手段)１４０ａが実装される第２のＬＥＤ基板１４０と、該第２のＬＥＤ基板１４０の裏面側を覆う第２の開放側基板カバー１２６とから構成される。この第２のＬＥＤ基板１４０は、第２の設置部１２２に沿って湾曲する形状に形成されると共に、該第２のＬＥＤ基板１４０に実装される第２のＬＥＤ１４０ａの夫々は、第２の設置部１２２に開設された各通孔１２２ａと対応するように位置している。そして、第２のＬＥＤ基板１４０は、実装面を第２の設置部１２２の裏面に対向した状態で配設されて、該第２のＬＥＤ基板１４０に配設された各第２のＬＥＤ１４０ａの夫々が、第２の設置部１２２に開設された対応する通孔１２２ａを介して前側に臨むよう構成される。すなわち、第２の設置部１２２に配設した第２の開放側発光装置１２５では、第２のＬＥＤ１４０ａの光照射方向は前方に向くようになっている。なお、第２のＬＥＤ基板１４０に配設された各第２のＬＥＤ１４０ａは、前記統括制御装置３８からの制御信号に基づいてダイナミック駆動制御されて、第２のＬＥＤ１４０ａ毎に独立して発光制御し得るようになっている。
【００９８】
（第２のレンズカバーおよび装飾カバーについて）
前記裏ユニット４７の開放端側枠部６１に設けた第２の設置部１２２の前側に配設される第２のレンズカバー１４１および第２の装飾カバー１４３の構成は、前記枢支端側枠部６０に設けた第２の設置部１２２に配設されるものと対称であるので、同一の部材に同じ符号を付して説明は省略する。なお、開放端側枠部６１の第２の設置部１２２に配設される第２の装飾カバー１４３の上端部は、前記第１の装飾カバー１３９の対応する開放側端部にネジ止め固定されて、電気的に接続するよう構成される。
【００９９】
(第３の発光装置について)
図２３に示すように、前記第３の発光装置１２９は、前記裏ユニット４７の下枠部５９の裏側に配置され、表面(実装面)に、該実装面と交差する方向に光を照射する複数の第３のＬＥＤ１４４ａが実装される第３のＬＥＤ基板１４４と、該第３のＬＥＤ基板１４４の裏面側を覆う第３の基板カバーとしての前記設置部材１３０とから構成される。なお実施例では、第３の発光装置１２９は、前記始動入賞装置５０を挟む左右の両側に配設されるが、その基本的な構成は同一である。
【０１００】
前記第３のＬＥＤ基板１４４に実装される第３のＬＥＤ１４４ａの夫々は、第３の設置部１３１に開設された各通孔１３１ａと対応するように位置している。そして、第３のＬＥＤ基板１４４は、実装面を第３の設置部１３１の裏面に対向した状態で配設されて、該第３のＬＥＤ基板１４４に配設された各第３のＬＥＤ１４４ａの夫々が、第３の設置部１３１に開設された対応する通孔１３１ａを介して前側に臨むよう構成される(図２７参照)。すなわち、第３の設置部１３１に配設した第３の発光装置１２９では、第３のＬＥＤ１４４ａの光照射方向は前方に向くようになっている。なお、第３のＬＥＤ基板１４４に配設された各第３のＬＥＤ１４４ａは、前記統括制御装置３８からの制御信号に基づいてダイナミック駆動制御されて、第３のＬＥＤ１４４ａ毎に独立して発光制御し得るようになっている。また第３のＬＥＤ１４４ａとしては、多色発光し得るものが好適に採用される。
【０１０１】
（第３のレンズカバーについて）
前記第３の設置部１３１の前側には、該第３の設置部１３１に沿う弧状に形成された第３のレンズカバー１４５が配設される。この第３のレンズカバー１４５には、図３４に示す如く、長手方向に離間して複数の第３のレンズ部１４５ａが設けられ、各第３のレンズ部１４５ａの夫々が、前記各第３のリフレクタ１３２と対応するようになっている。すなわち、第３のレンズカバー１４５を第３の設置部１３１の前側に配設した状態で、各第３のレンズ部１４５ａによって、対応する第３のリフレクタ１３２および第３のＬＥＤ１４４ａの前方を覆うよう構成される。また第３のレンズカバー１４５には、位置決め孔(図示せず)が穿設されており、該位置決め孔に、第３の設置部１３１の前面に突設したボス１３１ｂを嵌挿することで、第３の設置部１３１に対する第３のレンズカバー１４５の位置決めがなされるようになっている。また第３のレンズカバー１４５の前面は、前記透明板４６の裏面と平行となるよう形成されている。
【０１０２】
前記第３のレンズ部１４５ａにおける第３のリフレクタ１３２と対向する裏面に、図３１に示す如く、前記第３のＬＥＤ１４４ａからの照射光および第３のリフレクタ１３２からの反射光を拡散させる第３の光拡散シート１４６が配設されている。また第３のレンズ部１４５ａの裏面には、前記第３のＬＥＤ１４４ａからの照射光を可視表示部４７ａに対する近接離間方向に直線状に拡散させるレンズカットが形成される。実施例では、弧状に形成されている第３のレンズカバー１４５において、各第３のレンズ部１４５ａで、第３のＬＥＤ１４４ａからの照射光が、可視表示部４７ａの中央からの放射線に沿って延在するように拡散するようにしてある。なお、第３のレンズカバー１４５に形成されるレンズカットは、前記第２のレンスカバー１４１に形成したものと同じである。
【０１０３】
（第３の装飾カバーについて）
前記第３の設置部１３１の前側には、前記第３のレンズカバー１４５の前側を覆うように、第３の設置部１３１に沿う弧状に形成された第３の装飾カバー１４７が配設される。この第３の装飾カバー１４７は、光を透過しない材料から形成されると共に、全体に導電性を有するメッキが施されている。更に、第３の装飾カバー１４７には、図３６に示す如く、長手方向に離間して複数の透口１４７ａが開設され、各透口１４７ａを介して対応する第３のレンズ部１４５ａが前側に露出するよう構成される。すなわち、前記第３の発光装置１２９を発光した際には、第３の装飾カバー１４７の透口１４７ａに臨む第３のレンズ部１４５ａのみが発光状態で前側から視認されるようになっている。
【０１０４】
（遊技盤のアース構造について）
前記遊技盤４５における透明板４６に配設された前記第３飾り５５ｃに取り付けられる前記第１アース部材５６は、導電性を備えた金属片を折曲成形して構成され、上下に延在する基部５６ｂの上端に、枢支端側に延出する前方接触部５６ｃが形成されている。前記基部５６ｂは、上部側が後方に向けて傾斜しており、第３飾り５５ｃを透明板４６に取り付ける前の状態において、前記前方接触部５６ｃは、第３飾り５５ｃにおけるレール収容部５５ｄに対応する裏面から後方側へ離間した状態で前後方向に弾性変形可能に構成されている(図４０(ａ)の二点鎖線参照)。そして、図４１(ａ)に示すように、第３飾り５５ｃを透明板４６に取り付けた際に、前方接触部５６ｃの裏面が前記外レール４９の前端縁に当接し、第１アース部材５６の基部５６ｂが前方へ弾性変形して垂直姿勢(図４０(ａ)の二点鎖線参照)となる。従って、前記前方接触部５６ｃは、外レール４９に対し弾性により後方付勢された状態で当接するよう構成される。また、基部５６ｂの下部側は、後方に突出するよう折曲され、第３飾り５５ｃの開放端側縁裏面に臨む矩形状の後方接触部５６ａが形成されている。この後方接触部５６ａは、第３飾り５５ｃを透明板４６に取り付けた際に、前記切欠部４６ａを介して透明板４６の裏面に露出し、後述する第２アース部材１４８と接触するよう構成される。なお、この後方接触部５６ａは、第２アース部材１４８に接触した際に弾性変形することはなく、従って、接触時に後方へ付勢されることはない。
【０１０５】
前記裏ユニット４７の開放端側縁部には、前記第１アース部材５６に電気的に接続し得る第２アース部材(アース部材)１４８がネジ１４９(図４０参照)を介して取り付けられている。この第２アース部材１４８は、図３８に示すように、導電性の金属片を図示形状の如く連続コの字状に折曲成形したものであって、その端部が弾性変形可能に構成される。すなわち、第２アース部材１４８は、前記ネジ１４９によって裏ユニット４７にネジ止めされる基部１４８ｃと、該基部１４８ｃの前端に設けられ、裏ユニット４７の前面に臨む前方接触部１４８ａと、基部１４８ｃの後端に設けられ、裏ユニット４７の裏面に臨む後方接触部１４８ｂとから構成される。
【０１０６】
前記第２アース部材１４８の前方接触部１４８ａは、基部１４８ｃの前端から裏ユニット４７の内側方向(枢支端側方向)へ折曲げられて矩形薄板状に形成され、裏ユニット４７を透明板４６に取り付ける前の状態において、前方へ僅かに突出するよう傾斜して前後方向に弾性変形可能になっている(図４１(ｂ)の二点鎖線参照)。そして、前記裏ユニット４７を透明板４６に取り付けた際に、第２アース部材１４８の前方接触部１４８ａが前記第１アース部材５６の後方接触部５６ａに弾性変形した状態で当接し、該前方接触部１４８ａは、弾性により前方へ付勢された状態となって後方接触部５６ａとの接触が維持されるよう構成される。
【０１０７】
一方、前記第２アース部材１４８の後方接触部１４８ｂは、基部１４８ｃの後端から裏ユニット４７の外側方向(開放端側方向)へ折曲げられて矩形薄板状に形成され、遊技盤４５を中枠１２に嵌め込む前の状態において、裏ユニット４７の裏面から後方へ突出するよう傾斜して前後方向に弾性変形可能になっている(図４１(ｂ)の二点鎖線参照)。そして、遊技盤４５を中枠１２に嵌め込んだ際に、第２アース部材１４８の後方接触部１４８ｂが右枠部材２１の前記軸受部２１ａに弾性変形した状態で当接し、該後方接触部１４８ｂは、弾性により後方に付勢されて軸受部２１ａとの接触が維持される。
【０１０８】
前記裏ユニット４７の前面には、前記第２アース部材１４８の前方接触部１４８ａを上下側および枢支端側(裏ユニット４７の内側)から覆う前方保護壁１５０が前方へ突出するよう形成されている。この前方保護壁１５０は、裏ユニット４７を透明板４６に取り付けた際に前記切欠部４６ａに収容されるようになっている。また、裏ユニット４７の裏面には、前記第２アース部材１４８の後方接触部１４８ｂを上下側および枢支端側(裏ユニット４７の内側)から覆う後方保護壁１５１が後方へ突出して設けられている。なお、この後方保護壁１５１は、遊技盤４５を中枠１２に嵌め込んだ際に、前記軸受部２１ａを後方の開口部から受け入れて、該軸受部２１ａと第２アース部材１４８の後方接触部１４８ｂとの接触を許容するようになっている。
【０１０９】
前記第１の装飾カバー１３９に一端部が電気的に接続されるリード線(アース線)１５２の他端部が、前記裏ユニット４７の裏側において、前記第２アース部材１４８に電気的に接続されている。実施例では、第１の装飾カバー１３９と、前記開放端側枠部６１に設けた第２の設置部１２２に配設される第２の装飾カバー１４３とを連結するネジ(図示せず)によってリード線１５２の一端部が共締めされると共に、該リード線１５２の他端部は、第２アース部材１４８を第３飾り５５ｃに固定するためのネジ１４９によって該第２アース部材１４８に接触状態で取り付けられる。
【０１１０】
〔実施例の作用〕
次に、前述した実施例に係るパチンコ機１０の作用につき説明する。
【０１１１】
(遊技盤に対する液晶表示装置の着脱について)
前記遊技盤４５(裏ユニット４７)に対する液晶表示装置１３の固定につき説明する。前記液晶表示装置１３の左側面に形成した一対の係止突部３５ａ,３５ａを、前記裏ユニット４７の枢支端側枠部６０に形成した対応の差込み受部１１９,１１９の差込み口に挿入し、この状態で液晶表示装置１３の右側面が裏ユニット４７に近接するよう回転させる。そして、液晶表示装置１３の前面を前記裏ユニット４７の裏側に設けた前記各発光装置１０９,１２０,１２５における基板カバー１１０,１２１,１２６に当接させると共に、上下のロック部材１５５,１５５を解除位置から係止位置へ回転変位させて、該上下のロック部材１５５,１５５を液晶表示装置１３の対応する支持部３５ｂ,３５ｂに当接させることで、当該液晶表示装置１３が裏ユニット４７に取り付けられる。
【０１１２】
一方、前記遊技盤４５(裏ユニット４７)から液晶表示装置１３を取り外すには、前記上下のロック部材１５５,１５５を係止位置から解除位置に回転変位させて、該上下のロック部材１５５,１５５を液晶表示装置１３の対応する支持部３５ｂ,３５ｂから離間させ、この状態で、液晶表示装置１３の右側面側が後方に移動するよう回転させる。そして、前記液晶表示装置１３の左側面に形成した一対の係止突部３５ａ,３５ａを、前記裏ユニット４７の枢支端側枠部６０に形成した対応の差込み受部１１９,１１９の差込み口から抜き出すことで、当該液晶表示装置１３が裏ユニット４７から取り外される。このように、液晶表示装置１３を遊技盤４５(裏ユニット４７)に取り付ける際には、遊技盤４５(裏ユニット４７)に設けた差込み受部１１９,１１９の差込み口に、液晶表示装置１３の係止突部３５ａ,３５ａを挿入したもとで、液晶表示装置１３を前側位置規制部(基板カバー１１０,１２１,１２６)に当接させてロック部材１５５,１５５を係止位置に回転変位させるだけでよく、反対に液晶表示装置１３を遊技盤４５(裏ユニット４７)から取り外す際には、ロック部材１５５,１５５を係止解除位置に変位させて差込み受部１１９,１１９の差込み口から係止突部３５ａ,３５ａを抜き出すだけでよいから、重量の嵩む液晶表示装置１３であっても容易に着脱作業を行ない得る。
【０１１３】
このとき、前記液晶表示装置１３の前面が、前記各発光装置１０９,１２０,１２５における基板カバー１１０,１２１,１２６に当接すると共に、該液晶表示装置１３の裏面(支持部３５ｂ,３５ｂ)が、前記上下のロック部材１５５,１５５に当接することで、当該液晶表示装置１３の前後移動が規制される。また、前記液晶表示装置１３の左側面が、前記第２の枢支側発光装置１２０における第２の枢支側基板カバー１２１に形成した第１の規制壁１２１ａ,１２１ａに当接すると共に、該液晶表示装置１３の右側面が、前記第２の開放側発光装置１２５における第２の開放側基板カバー１２６に形成した第２の規制壁１２７に当接することで、当該液晶表示装置１３の左右移動が規制される。更に、前記液晶表示装置１３の上面が、前記台座部材１５４に当接すると共に、該液晶表示装置１３の下面が、前記設置部材１３０に当接することで、当該液晶表示装置１３の上下移動が規制される。すなわち、遊技盤４５(裏ユニット４７)に液晶表示装置１３を配設した状態では、該遊技盤４５(裏ユニット４７)に設けた前側位置規制部(基板カバー１１０,１２１,１２６)、ロック部材１５５,１５５、上下の位置規制部(台座部材１５４、設置部材１３０)、第１および第２の側部位置規制部(第１の規制壁１２１ａ、第２の規制壁１２７)の夫々が液晶表示装置１３の対応する外面に当接して、液晶表示装置１３の上下左右および前後の移動を規制するから、パチンコ機１０や遊技盤４５の運搬時や、外枠１１に対する中枠１２の開閉時等に液晶表示装置１３が振動するのを抑制できる。
【０１１４】
(演出表示制御基板の取り付けについて)
前記液晶表示装置１３の裏面に取り付けられる演出表示制御装置３６における演出表示制御基板４３の取り付けについて説明する。前記制御用ＲＯＭ７２、データ用ＲＯＭ７３、ＣＰＵ７４およびコンデンサ７５等の各種電子部品が実装された演出表示制御基板４３の各隅部に形成された窪み部８０の夫々に、前記弾性体８１を取り付ける。すなわち、弾性体８１の小径嵌合部８１ｂを、窪み部８０の入口部８０ａから収容部８０ｂに押し込むことで、図１３に示す如く、演出表示制御基板４３を第１保持部８２と第２保持部８３とで挟んだ状態で、該弾性体８１は演出表示制御基板４３に取り付けられる。この場合において、窪み部８０における入口部８０ａの開口寸法は、弾性体８１の小径嵌合部８１ｂの直径より小さく設定されているから、各窪み部８０に取り付けた弾性体８１が簡単に脱落することはなく、前記金属板材６７に演出表示制御基板４３を取り付ける作業中に弾性体８１が脱落して作業を中断する等の煩わしい事態が生ずることはなく、作業をスムーズに行ない得る。
【０１１５】
また、図１０に示す如く、前記演出表示制御基板４３の左下隅部に形成される目印用窪み部８０は、演出表示制御基板４３の中央点を通る線分に対して他の窪み部８０と非線対称の関係としてあるから、金属板材６７に対して演出表示制御基板４３を取り付ける向き等を間違えることはない。しかも、前記目印用窪み部８０は、収容部８０ｂを側端縁側に近接する位置に形成してあり、該目印用窪み部８０に弾性体８１を取り付けた際には、該弾性体８１の第１および第２保持部８２,８３の一部が側端縁から外方に突出するから、作業者は目印用窪み部８０に取り付けた弾性体８１を目印として演出表示制御基板４３の向きを簡単かつ迅速に決めることができる。
【０１１６】
前記４つの弾性体８１を取り付けた演出表示制御基板４３を金属板材６７における第１取付部６７ａに位置決めする際には、前記２つの案内片８７に、演出表示制御基板４３の対応する交差する２つの端縁を当接する。これにより、演出表示制御基板４３は、各弾性体８１の通孔８１ｃが、第１取付部７６ａに形成したネジ孔７１に略整合する位置に仮位置決めされる。すなわち、各窪み部８０に弾性体８１を取り付けた場合は、該弾性体８１の通孔８１ｃを対応するネジ孔７１に整合させる位置決め作業は煩わしいものとなるが、前記案内片８７を設けたことで、弾性体８１を取り付けた状態であっても、第１取付部６７ａに対して演出表示制御基板４３の適正な位置への位置決め作業を容易に行なうことができる。
【０１１７】
前記金属板材６７の第１取付部６７ａに対して仮位置決めされた演出表示制御基板４３の各弾性体８１の通孔８１ｃに、第１保持部８２側から前記段付きネジ８４のネジ部８４ｃを挿入し、該ネジ部８４ｃを前記ネジ孔７１に螺挿する。これにより、演出表示制御基板４３が第１取付部６７ａの適正な位置に取り付けられる。
【０１１８】
（演出表示制御基板の振動対策について）
前記金属板材６７の第１取付部６７ａに演出表示制御基板４３が取り付けられた状態においては、図１３に示す如く、前記段付きネジ８４の支持部８４ａに弾性体８１の第１突起８２ａが接触すると共に、第１取付部６７ａ(金属板材６７)に弾性体８１の第２突起８３が接触し、演出表示制御基板４３は、金属板材６７に直に接触しない状態となっている。すなわち、演出表示制御基板４３は、弾性体８１にのみ接触しており、金属板材６７からの振動は、該弾性体８１によって減衰されて演出表示制御基板４３が振動するのは抑制される。しかも、支持部８４ａおよび金属板材６７には、弾性体８１の突起８２ａ,８３ａのみが接触して、支持部８４ａおよび金属板材６７に対する弾性体８１の接触面積は小さいから、金属板材６７や段付きネジ８４から伝わる振動の弾性体８１による吸収率は高くなり、演出表示制御基板４３に伝わる振動をより軽減することができる。
【０１１９】
また、前記段付きネジ８４は、前記ネジ孔７１にネジ部８４ｃを螺挿する際に、前記軸部８４ｂの端部が金属板材６７の設置面に当接することで位置規制され、前記支持部８４ａと金属板材６７との間隔は一定に保持される。すなわち、作業者によって段付きネジ８４の締め込み量が変わることはなく、前記弾性体８１の各突起８２ａ,８３ａが過度に潰れるのを防止して、前記弾性体８１の支持部８４ａおよび金属板材６７に対する接触圧を常に一定とし得る。これにより、弾性体８１による振動吸収能力は常に一定となり、演出表示制御基板４３に伝わる振動を好適に減少させることができる。しかも、金属板材６７に対して演出表示制御基板４３を取り付ける手段である段付きネジ８４が、支持部８４ａと金属板材６７との間隔を一定に保持する機能を有するから、間隔を保持する手段を別途用いる必要はなく、部品点数を低減し得ると共に、金属板材６７に対する演出表示制御基板４３の取り付け作業が簡単となる。
【０１２０】
前記演出表示制御装置３６の演出表示制御基板４３は、前述したように、前記金属板材６７に対して弾性体８１を介してのみ接触しているから、パチンコ機１０や遊技盤４５の運搬時や、外枠１１に対する中枠１２の開閉時等に液晶表示装置１３に生ずる振動が、演出表示制御基板４３に伝わるのを弾性体８１で抑制できる。すなわち、演出表示制御基板４３に実装されている制御用ＲＯＭ７２やデータ用ＲＯＭ７３およびＣＰＵ７４の接触不良の発生を抑制することができるから、液晶表示装置１３での演出に不具合が発生することはなく、遊技者が不利益を被ったり混乱するのを防止し得る。また、演出表示制御基板４３に振動が伝わるのは極力抑えられているから、前記制御用ＲＯＭ７２のピン７２ｂとＲＯＭ用ソケット９８の接触部９９との接触状態が緩むのを抑制することができる。
【０１２１】
(中継基板の配置について)
前記金属板材６７における第１取付部６７ａに、第１中継基板６２を取り付ける際には、該第１中継基板６２の２つの通孔６２ａに、第１取付部６７ａに設けた第１位置決め片８８を挿通したもとで、第１中継基板６２の他の通孔６２ａに挿通したネジ９０を第１取付部６７ａに設けた第１固定片部８９のネジ孔８９ａに螺挿することで、第１中継基板６２が、設置面から離間した状態で第１取付部６７ａに位置決め固定される。
【０１２２】
前記第１中継基板６２は、図１０に示す如く、金属板材６７に取り付けられた演出表示制御基板４３における前記目印用窪み部８０が設けられる隅部に近接して金属板材６７に取り付けられる。この場合において、目印用窪み部８０の入口部８０ａは、第１中継基板６２が臨む下端縁側でなく側端縁側に開口し、従って該目印用窪み部８０に取り付けられた弾性体８１の保持部８２,８３は側端縁側に突出することとなるから、第１中継基板６２を演出表示制御基板４３の下端縁に近接するのを該弾性体８１が阻害することはない。すなわち、演出表示制御基板４３と第１中継基板６２とを近接配置することができ、演出表示制御装置３６の上下寸法を小さくすることが可能となる。なお、前記接続具９３の一方の第３プラグ９３ａを演出表示制御基板４３の第２ソケット７８に接続すると共に、該接続具９３の他方の第３プラグ９３ａを第１中継基板６２の第５ソケット９２に接続することで、演出表示制御基板４３と第１中継基板６２とが電気的に接続される。
【０１２３】
前記金属板材６７における第２取付部６７ｂに、第２中継基板６３を取り付ける際には、該第２中継基板６３の２つの通孔６３ａに、第２取付部６７ｂに設けた第２位置決め片６５を挿通したもとで、第２中継基板６３の他の通孔６３ａに挿通したネジ９０を第２取付部６７ｂに設けた第２固定片部９６のネジ孔９６ａに螺挿することで、第２中継基板６３が第２取付部６７ｂに位置決め固定される。そして、第２中継基板６３に電気的に接続する第４プラグ９７を、演出表示制御基板４３に配設されている前記第３ソケット７９に差し込み接続することで、演出表示制御基板４３と第２中継基板６３とが電気的に接続される。
【０１２４】
前記演出表示制御基板４３が金属板材６７の第１取付部６７ａに取り付けられると共に、第２中継基板６３が金属板材６７の第２取付部６７ｂに取り付けられることで、図１２に示す如く、両基板４３,６３間には段差が生じる。従って、演出表示制御基板４３に設けられて接続口７９ａが実装面に沿う方向に向けて開口する前記第３ソケット７９に対し、第２中継基板６３に電気的に接続する第４プラグ９７を着脱する作業が容易となる。すなわち、第４プラグ９７の着脱作業の容易性を確保しつつ、演出表示制御基板４３に対して第２中継基板６３を近接配置することができ、演出表示制御装置４３の幅寸法を小さくすることができる。
【０１２５】
（制御用ＲＯＭの振動対策について）
前記演出表示制御基板４３に対して前記制御用ＲＯＭ７２を取り付ける場合は、図１６(ａ)に示す如く、ＲＯＭ本体７２ａの左右両側から延出する各ピン７２ｂを、演出表示制御基板４３の実装面に配設されているＲＯＭ用ソケット９８の対応する受溝９８ｂの入口側に夫々臨ませ、該ＲＯＭ本体７２ａをＲＯＭ用ソケット９８に近接することで、各ピン７２ｂが対応の受溝９８ａに差し込まれる。各受溝９８ｂの内面には弾性変形可能な接触部９９が延在しており、受溝９８ａに差し込まれたピン７２ｂは接触部９９に弾性的に接触した状態に保持される(図１５(ｂ)参照)。
【０１２６】
略Ｖ字状の前記接触部９９における入口の開口幅は、ピン７２ｂの幅寸法より小さく設定されるのに対し、該ピン７２ｂの幅は一様に設定されているから、ピン７２ｂを接触部９９に差し込むことで該接触部９９とピン７２ｂとの接触状態は強固となり、振動によるピン７２ｂの位置ずれを抑制し得る。また接触部９９は、ピン７２ｂの抜き差し方向に沿って所定長さで延在しているから、振動によってピン７２ｂが引き抜き方向に移動したとしても、該ピン７２ｂと接触部９９との接触状態を維持することができ、制御用ＲＯＭの接触不良に起因する不具合の発生を抑制し得る。
【０１２７】
（データ用ＲＯＭの着脱について）
図２０に示す如く、前記実装保持部材１００の押圧部材１０２を解除位置に回動した状態で、前記カード型のデータ用ＲＯＭ７３を、カード本体７３ａにおけるＲＯＭ側接続端子７３ｂが露出する一面が、実装保持部材１００の基台１０１表面に対向するように臨ませて、基台１０１に設けられている保持側接続端子１００ａに対応するＲＯＭ側接続端子７３ｂを接触させる。次に、前記押圧部材１０２を解除位置から押圧位置まで回動することで、押圧部材１０２の前記押圧部１０２ａがデータ用ＲＯＭ７３を基台表面に近接させてＲＯＭ側接続端子７３ｂを保持側接続端子１００ａに圧接する(図２１参照)。更に、押圧部材１０２を基台表面に沿って押圧位置から固定位置に向けてスライドすることで、図１９に示す如く、前記ＲＯＭ用被係止部１０５ａがＲＯＭ用係止部１０１ａに係合して、押圧部材１０２は固定位置に係止保持される。
【０１２８】
前記実装保持部材１００にデータ用ＲＯＭ７３を実装した状態では、保部側接続端子１００ａの弾性によって該保持側接続端子１００ａとＲＯＭ側接続端子７３ｂとは常に圧接状態となっており、従来の差し込みタイプのようにピンの曲がりや、端子に対するピンの差し込み状態の緩み等による不具合の発生はない。しかも、基台１０１に対して押圧部材１０２を解除位置から押圧位置まで回動した後に、該押圧部材１０２をスライドすることで複数のＲＯＭ用被係止部１０５ａが対応するＲＯＭ用係止部１０１ａに係合して固定位置に保持するから、押圧部材１０２を固定位置に確実に保持することができ、保持側接続端子１００ａとＲＯＭ側接続端子７３ｂとの接触状態を維持して、接触不良の発生を抑制し得る。また、ＲＯＭ側接続端子７３ｂの保持側接続端子１００ａに対する接触可能な面積を、該保持側接続端子１００ａの接触可能な面積より広く設定してあるから、振動による位置ずれが生じたとしても両接続端子７３ｂ,１００ａの接触状態を維持することができ、接触不良の発生をより抑制し得る。
【０１２９】
カード型のデータ用ＲＯＭ７３は、前述したように端子の接触不良による不具合の発生は極めて少ない。また、前記実装保持部材１００の押圧部材１０２を基台表面に沿って固定位置から押圧位置にスライドした後に解除位置まで回動することで、該実装保持部材１００からデータ用ＲＯＭ７３を簡単に取り外すことができる。すなわち、不具合の発生原因が少ないデータ用ＲＯＭ７３を用いると共に、該データ用ＲＯＭ７３を実装保持部材１００に対して簡単に着脱し得る構成を採用したから、データ用ＲＯＭ７３に関わる不具合が発生した場合は、その不具合の原因を早期に特定して対処し得る。
【０１３０】
（演出表示制御装置の組み立てについて）
前記演出表示制御基板４３および２つの中継基板６２,６３を取り付けた金属板材６７を、前記第２ケース６４における皿状部材６５の内部裏面に、設置面側とは反対の前面を対向する状態で収容する。このとき、皿状部材６５に立設された複数のリブ６５ｃに金属板材６７の前面が当接し、該金属板材６７は、図１２に示すように、前記各弾性体８１を取り付ける段付きネジ８４のネジ部８４ｃが皿状部材６５に接触しない状態に支持される。この状態で、皿状部材６５の前記係合片６５ａに、前記カバー状部材６６の前記係合孔６６ａを挿通したもとで、該カバー状部材６６を皿状部材６５に近接することで、カバー状部材６６の係止部６６ｂに皿状部材６５の係止フック６５ｂが係止され、皿状部材６５に対してカバー状部材６６が取り付けられる。なお、カバー状部材６６を皿状部材６５に取り付けた状態において、該カバー状部材６６の内面に設けた複数の押付片が金属板材６７の設置面に当接されて、該金属板材６７はガタ付きのない状態で第２ケース体６４内に収容保持される。
【０１３１】
（液晶表示装置に対する各制御装置の取り付けについて）
前述したように各制御基板４３,６２,６３を第２ケース体６４に収容した演出表示制御装置３６は、前記カバー状部材６６に形成した差込片６６ｅを、前記液晶表示装置１３に設けた受部３５ａに差し込んで係合すると共に、カバー状部材６６に形成した前記各連結部６６ｆを、液晶表示装置１３に設けた対応する被連結部３５ｄに整合する。この状態で、連結部６６ｆおよび被連結部３５ｄを連結具で連結することで、液晶表示装置１３に対して演出表示制御装置３６が取り付けられる。
【０１３２】
（演出表示制御装置の熱対策について）
前記演出表示制御装置３６では、前記第２ケース体６４のカバー状部材６６における上面部および下面部に、図８に示す如く、複数の空気孔６６ｄが穿設されている。また、前記金属板材６７と前記皿状部材６５との間には、前記リブ６５ｃによって空間が形成されると共に、金属板材６７に取り付けた演出表示制御基板４３と前記カバー状部材６６との間に空間が形成されている。従って、下側の空気孔６６ｄを介して第２ケース体６４内に導入される外部空気が、演出表示制御基板４３(金属板材６７)の前後両側を通って上側の空気孔６６ｄへ抜ける空気の流れを作ることができ、当該演出表示制御基板４３に実装されている各種電子部品から発する熱と、第２ケース体６４内を流通する外部空気との熱交換効率が向上する。なお、皿状部材６５のリブ６５ｃは上下方向に延在するよう形成されており、空気を上下に案内するべく機能する。
【０１３３】
また、前記演出表示制御基板４３では、図１０に示す如く、発熱量の大きい複数のコンデンサ７５が演出表示制御基板４３の上部領域に纏めて配置されるのに対し、該演出表示制御基板４３の下部領域に、比較的熱に弱い制御用ＲＯＭ７２、データ用ＲＯＭ７３およびＣＰＵ７４が纏めて配置されている。従って、前記上下の空気孔６６ｄ,６６ｄにより作られる空気の流れと相俟って、コンデンサ７５からのＲＯＭ７２,７３やＣＰＵ７４に対する熱影響は抑制され、ＲＯＭ７２,７３やＣＰＵ７４に格納されているプログラムやデータが破損したり、またはＣＰＵ７４の誤作動の発生を抑制することができる。
【０１３４】
（統括制御装置の配置について）
前記液晶表示装置１３の裏面における演出表示制御装置３６より開放端側の位置に、前記インバータ基板３７を取り付けると共に、該インバータ基板３７を被覆するようにして前記インバータカバー６９を液晶表示装置１３の裏面に取り付ける(図８参照)。そして、インバータカバー６９の裏面に、前記統括制御装置３８を取り付ける(図４参照)。この統括制御装置３８は、液晶表示装置１３の裏面における外枠１１に対する中枠１２の枢支側とは反対側に位置するから、外枠１１に対して中枠１２を開放した際には、開放された中枠１２の手前側に統括制御装置３８が臨むこととなる。従って、中枠１２が全面開放し得ない状況であっても、統括制御装置３８に設けられた前記調整手段７０の操作を容易に行なうことができる。
【０１３５】
前記インバータカバー６９の裏面は、前記演出表示制御装置３６の裏面と同一レベルか、より後方に突出しているから、該インバータカバー６９の裏面に取り付けられる統括制御装置３８は、一部を演出表示制御装置３６の後方に重ねた状態で配置することができる。すなわち、統括制御装置３８の幅寸法が、前記液晶表示装置１３の幅寸法から演出表示制御装置３６の幅寸法を引いた長さより大きい幅寸法であっても、統括制御装置３８を含む複数の制御装置を液晶表示装置１３の裏面にスペース効率よく配置し得る。
【０１３６】
（演出表示制御基板の撓み防止について）
前記液晶表示装置１３の裏面に取り付けられた前記演出表示制御装置３６では、前記演出表示制御基板４３の第１ソケット７６に、前記カバー状部材６６に開設した挿通口６６ｃを介して前記統括制御装置３８に電気的に接続する第１プラグ７７を差し込み接続する。この場合において、前記金属板材６７には第１ソケット７６の配設位置に対向する位置に第２規制片８６,８６が設けられているから、第１ソケット７６に対して第１プラグ７７を差し込む際の力が演出表示制御基板４３に加わっても、該演出表示制御基板４３が大きく撓むのを該第２規制片８６,８６で規制することができる。
【０１３７】
また、前記演出表示制御基板４３における第１ソケット７６の配設位置に近接する表面側には、図１２に示すように、前記金属板材６７に設けた第１規制片８５が臨んでいる。従って、第１ソケット７６から第１プラグ７７を引き抜く際に、該演出表示制御基板４３が大きく撓むのを該第１規制片８５が当接して規制し得る。すなわち、第１ソケット７６に対する第１プラグ７７の抜き差しの何れの場合も、演出表示制御基板４３が大きく撓むことを防ぐことができ、ＲＯＭ７２,７３やＣＰＵ７４の接触不良の発生を抑制し得る。なお、前記第１規制片８５および第２規制片８６は、演出表示制御基板４３に負荷が加わっていない通常状態においては、該演出表示制御基板４３とは接触しないから、該規制片８５,８６を介して演出表示制御基板４３に振動が伝わることはない。
【０１３８】
また、前記金属板材６７における第１中継基板６２に配設される第４ソケット９１に対応する位置に第１位置規制片９４が設けられているから、前記インバータ基板３７に接続する第２プラグを第４ソケット９１に差し込む際に、第１中継基板６２が撓むのを該第１位置規制片９４で規制することができる。
【０１３９】
ここで、前記演出表示制御基板４３に実装される前記制御用ＲＯＭ７２、データ用ＲＯＭ７３およびＣＰＵ７４については、前記液晶表示装置１３の大きさに関係なく、同じ表示演出を行なう場合には共通して使用可能なものであり、従って演出表示制御装置３６については各種大きさ液晶表示装置１３が配設されたパチンコ機１０に共用できる。これに対し、前記インバータ基板３７は、液晶表示装置１３(液晶パネル)の大きさに対応したものを使用する必要があり、液晶表示装置１３毎に専用となる。そして、実施例では、演出表示制御基板４３に配設される第１中継基板６２について、液晶表示装置１３の大きさ、例えば１５インチの場合は演出表示制御基板４３に配設せず、１９インチの場合にのみ配設することで、識別するようにしてある。そして、第１中継基板６２を用いない場合は、演出表示制御基板４３に設けたソケットに、インバータ基板３７をコネクタ接続することで、両基板４３,３７を電気的に接続するよう構成される。
【０１４０】
（演出表示制御基板に対する静電気対策について）
前記液晶表示装置１３は、前述したように液晶パネルおよびバックライトが金属製の保護部材４１で囲繞され、更に該保護部材４１の裏面には導電部材４２が配設されている。またこの導電部材４２は、図９に示す如く、液晶用リード線４４を介して前記インバータ基板３７に電気的に接続されている。これにより、液晶表示装置１３は、図２２に示す如く、インバータ基板３７、第１中継基板６２、演出表示制御基板４３、統括制御基板３８ａを介して電源基板３１ａに電気的に接続される。
【０１４１】
ここで、実施例のように遊技領域４５ａの全面を合成樹脂製の透明板４６で構成しているパチンコ機１０では、当該透明板４６とパチンコ球との摩擦係数が大きく、当該摩擦により遊技中に静電気が発生し易い。また、前記透明板４６の遊技領域に設けられた前記ステージ部材５４において、パチンコ球は左右に複数回に亘って転動するために、該ステージ部材５４および透明板４６との接触によって多くの静電気が発生し、透明板４６に帯電する静電気が、通り易い経路を流れて前記液晶表示装置１３の金属製の保護部材４１に伝わる場合がある。この場合において、該保護部材４１の裏面には、該保護部材４１より導電性の高い材料からなる導電部材４２が配設されると共に、該導電部材４２はインバータ基板３７に電気的に接続されているから、保護部材４１に伝わった静電気を、該導電部材４２を介して速やかにインバータ基板３７に逃すことができる。すなわち、液晶表示装置１３の裏面に配設されている演出表示制御装置３６の演出表示制御基板４３に、保護部材４１から静電気が伝わることはなく、該演出表示制御基板４３に実装されている各種電子部品の誤作動を防止し得る。
【０１４２】
特に、前記導電部材４２は、図９に示す如く、演出表示制御基板４３に実装されている制御用ＲＯＭ７２、データ用ＲＯＭ７３およびＣＰＵ７４と保護部材４１との間に臨んでいるから、パチンコ機１０で重要な演出制御を行なうために必要な制御用ＲＯＭ７２、データ用ＲＯＭ７３およびＣＰＵ７４が、静電気の影響によって誤作動するのを確実に防ぐことができる。従って、静電気に起因して液晶表示装置１３での演出に不具合が発生することはなく、遊技者が不利益を被ったり混乱するのを防止し得る。また実施例では、前記第２ケース体６４の内部に配設されている演出表示制御基板４３は、導電部材４２側に位置する金属板材６７に対して絶縁部材である弾性体８１を介して取り付けられているから、制御用ＲＯＭ７２、データ用ＲＯＭ７３およびＣＰＵ７４は金属板材６７に対して絶縁されており、静電気の影響をより防止し得る。
【０１４３】
（第１の発光装置の配置について）
前記裏ユニット４７における上枠部５８の前側に配設される第１の発光装置１０８は、図２９に示す如く、第１の設置部１１２の前面部１１２ａから前方に張出す張出し面部１１２ｂの内面(可視表示部４７ａを指向する面)に第１のＬＥＤ基板１１４を沿わせると共に、その実装面に実装した第１のＬＥＤ１１４ａを可視表示部４７ａに向けた姿勢で、第１の設置部１１２に配設されている。更には、第１の設置部１１２に形成した第１収容部１１５に第１のＬＥＤ基板１１４の後端部を収容すると共に、前記第１のＬＥＤ１１４ａの後部を第２の設置部１１２に形成した第２収容部１１６に収容してあるから、第１の設置部１１２の前面部１１２ａから前方への第１の発光装置１０８の突出寸法を小さくすることができる。すなわち、前記中枠１２に遊技盤４５を配設した際に前記球タンク２８との干渉を防ぐために前後厚み寸法が限られている裏ユニット４７の上部に、第１の発光装置１０８を配置することができる。従って、第１の発光装置１０８の配設位置を下方に下げて液晶表示装置１３の表示部が臨む可視表示部４７ａを狭める必要はなく、液晶表示装置１３による大きな表示領域を確保し得る。
【０１４４】
（第１の発光装置の発光について）
また、図２９に示すように、前記第１の発光装置１０８の第１のＬＥＤ１１４ａの光照射方向に、可視表示部４７ａに向かうにつれて前方へ突出するよう湾曲状に形成した第１のリフレクタ１１３が配設されているから、該第１のリフレクタ１１３に向けて第１のＬＥＤ１１４ａから照射された光を効率よく前方へ反射させることができる。第１のリフレクタ１１３で反射された光は、前記第１のレンズカバー１３７における第１のレンズ部１３７ａに照射されて、該レンズ部１３７ａが発光する。この場合において、第１のレンズ部１３７ａの裏面には第１の光拡散シート１３８が取り付けられているから、該第１の光拡散シート１３８に照射された光をぼかして広い範囲で発光させることができ、点光となるのを抑制し得る。
【０１４５】
更に、前記各第１のリフレクタ１１３の周方向の両側は、第１の設置部１１２における前面部１１２ａに立設された第１の区画壁１１７,１１７で区画されているから、第１のリフレクタ１１３に向けて照射された第１のＬＥＤ１１４ａの光がリフレクタ外に漏れるのは防止される。すなわち、第１の区画壁１１７,１１７により仕切られた第１のリフレクタ１１３に対応する前記第１のレンズカバー１３７における各第１のレンズ部１３７ａごとに、区分して発光させることができる。しかも、第１のレンズ部１３７ａは、第１の設置部１１２に配設されている光を透過しない材料から形成された第１の装飾カバー１３９の透口１３９ａに臨んでいるから、隣り合う第１のレンズ部１３７ａ,１３７ａの光が相互に混ざるのを防ぐことができる。従って、前記各第１のＬＥＤ１１４ａの発光色を変えた場合においても、意図しない発光色となるのを防止し得る。
【０１４６】
（第２の枢支側および開放側発光装置の発光について）
前記裏ユニット４７における枢支端側枠部６０および開放端側枠部６１に配設された各第２の枢支側発光装置１２０の第２のＬＥＤ１４０ａを発光させると、該光は、前記第２のレンズカバー１４１における第２のレンズ部１４１ａに照射されて、該レンズ部１４１ａが発光する。この場合において、第２のレンズ部１４１ａの裏面には第２の光拡散シート１４２が取り付けられているから、該第２の光拡散シート１４２に照射された光をぼかして広い範囲で発光させることができ、点光となるのを抑制し得る。
【０１４７】
前記各第２のリフレクタ１２３の周方向の両側は、第２の設置部１２２に立設された第２の区画壁１２４,１２４で区画されているから、前記第２のＬＥＤ１４０ａから照射されて第２のレンズ部１４１ａで反射した光や、該光が更に第２のリフレクタ１２３で反射光が、リフレクタ外に漏れるのは防止される。すなわち、第２の区画壁１２４,１２４により仕切られた第２のリフレクタ１２３に対応する前記第２のレンズカバー１４１における各第２のレンズ部１４１ａごとに、区分して発光させることができる。しかも、第２のレンズ部１４１ａは、第２の設置部１２２に配設されている光を透過しない材料から形成された第２の装飾カバー１４３の透口１４３ａに臨んでいるから、隣り合う第２のレンズ部１４１ａ,１４１ａの光が相互に混ざるのを防ぐことができる。従って、前記各第２のＬＥＤ１４０ａの発光色を変えた場合においても、意図しない発光色となるのを防止し得る。
【０１４８】
ここで、前記第１の発光装置１０８における第１のＬＥＤ１１４ａの光照射方向は可視表示部４７ａを向いているので、前記第１の光拡散シート１３８によって光をぼかしているが、前記第１のレンズ部１３７ａ上での発光態様は、第１のＬＥＤ１１４ａの配設位置から可視表示部４７ａに向けて略直線上に光の条ができる。これに対し、第２の枢支側発光装置１２０および第２の開放側発光装置１２５における第２のＬＥＤ１４０ａの光照射方向は前方を向いているので、前記第２のレンズ部１４１ａにレンズカットを施していない場合での該第２のレンズ部１４１ａ上での発光態様は、第２のＬＥＤ１４０ａの配設位置を中心として略円形に光り、第１のレンズ部１３７ａでの発光態様とは異なってしまう。しかるに、実施例の第２のレンズ部１４１ａには、第２のＬＥＤ１４０ａからの照射光を可視表示部４７ａに対する近接離間方向に直線状に拡散させるレンズカットが形成されているから、第１のレンズ部１３７ａおよび第２のレンズ部１４１ａでの発光態様が略同一となり、統一のとれた発光演出ができる。すなわち、前後厚み寸法が限られた裏ユニット４７の上部に第１の発光装置１０８を配置するために、該発光装置１０８の配設姿勢を通常(第１のＬＥＤ１１４ａの光照射方向が前方を向く姿勢)とは異なるようにした場合でも、可視表示部４７ａの上側と左右両側において、各レンズ部１３７ａ,１４１ａ,１４１ａでの発光態様の統一を図ることができる。
【０１４９】
前記第２の設置部１２２における第２のＬＥＤ１４０ａが臨む通孔１２２ａの外周囲に臨む前面には、第２のリフレクタ１２３が設けられている。すなわち、第２の枢支側発光装置１２０および第２の開放側発光装置１２５の消灯時において、前記第２のレンズ部１４１ａを介して外部から入射した光が第２のリフレクタ１２３で反射することでの第２のレンズ部１４１ａの見え方を、前記第１の発光装置１０８の消灯時において、第１のレンズ部１３７ａを介して外部から入射した光が第１のリフレクタ１１３で反射することでの第１のレンズ部１３７ａの見え方と同じとすることができる。従って、前記可視表示部４７ａの上側および左右両側に配設されるＬＥＤ１１４ａ,１４０ａの光照射方向が異なっていても、消灯時における対応する各レンズ部１３７ａ,１４１ａでの見え方を同じようにでき、可視表示部４７ａの上側および左右両側での統一のとれた装飾ができる。
【０１５０】
（第３の発光装置の発光について）
前記裏ユニット４７における下枠部５９に配設された第３の発光装置１２９の第３のＬＥＤ１４４ａを発光させると、該光は、前記第３のレンズカバー１４５における第３のレンズ部１４５ａに照射されて、該レンズ部１４５ａが発光する。この場合において、第３のレンズ部１４５ａの裏面には第３の光拡散シート１４２が取り付けられているから、該第３の光拡散シート１４２に照射された光をぼかして広い範囲で発光させることができ、点光となるのを抑制し得る。
【０１５１】
前記各第３のリフレクタ１３２の周方向の両側は、第３の設置部１３１に立設された第３の区画壁１３３,１３３で区画されているから、前記第１のレンズカバー１３７および第２のレンズカバー１４１の区分発光と同様に、前記第３のレンズカバー１４５における各第３のレンズ部１４５ａごとに、区分して発光させることができる。また第３のレンズカバー１４５においても、第３のレンズ部１４５ａは、第３の設置部１３１に配設されている光を透過しない材料から形成された第３の装飾カバー１４７の透口１４７ａに臨んでいるから、隣り合う第３のレンズ部１４５ａ,１４５ａの光が相互に混ざることはなく、各第３のＬＥＤ１４４ａの発光色を変えた場合において、意図しない発光色となるのを防止し得る。
【０１５２】
前記第３のレンズ部１４５ａには、前記第２のレンズ部１４１ａと同様に、前記第３のＬＥＤ１４４ａからの照射光を可視表示部４７ａに対する近接離間方向に直線状に拡散させるレンズカットが形成されているから、第３のレンズ部１４５ａ上での発光態様を、前記第２のレンズ部１４１ａでの発光態様、すなわち第１のレンズ部１３７ａでの発光態様と略同一とすることができる。これにより、前記可視表示部４７ａの上側、左右両側および下側において統一のとれた高い発光演出ができる。特に、前記複数の装飾カバー１３９,１４３,１４７とレンズカバー１３７,１４１,１４５とで形成される円環状装飾部１３４は、図６に示す如く、前記透明板４６に形成される略円形の遊技領域４５ａの内側において、該遊技領域４５ａの周縁に沿うよう円形に形成されているから、各レンズ部１３４ａ,１４１ａ,１４５ａでの発光態様は、前述した光の条が可視表示部４７ａの中央からの放射線に沿って延在し、高い演出効果が期待できる。
【０１５３】
前記第３の設置部１３１における第３のＬＥＤ１４４ａが臨む通孔１３１ａの外周囲に臨む前面に第３のリフレクタ１３２が設けられているから、第３の発光装置１２９の消灯時における第３のレンズ部１４５ａの見え方を、前記第１の発光装置１０８および第２の枢支側および開放側発光装置１２０,１２５の消灯時における対応する第１のレンズ部１３７ａおよび第２のレンズ部１４１ａでの見え方と同じとすることができる。従って、前記可視表示部４７ａの上側、左右両側および下側での各発光装置１０８,１２０,１２５,１３１の消灯時における対応する各レンズ部１３７ａ,１４１ａ,１４５ａでの見え方を同じにでき、可視表示部４７ａの上側、左右両側および下側での統一のとれた高い装飾ができる。
【０１５４】
（装飾カバーによる静電気対策について）
前記第１アース部材５６を第３飾り５５ｃの収容部５５ｄにネジ５７を螺挿して取り付ける。第１アース部材５６の前方接触部５６ｃは、第３飾り５５ｃを透明板４６に取り付ける前の状態において後方に傾斜した状態にある(図４０(ａ)および図４１(ａ)の二点鎖線参照)。一方、第１アース部材５６の後方接触部５６ａは、第３飾り５５ｃの裏面に露出した状態となる。次いで、第１〜第３飾り５５ａ,５５ｂ,５５ｃを、予め前記外レール４９が取り付けられた透明板４６の前面に取り付ける。すると、第１アース部材５６の前方接触部５６ｃは、透明板４６の前面に設けた外レール４９の前端縁に当接し、第１アース部材５６の基部５６ｂが前方へ弾性変形する(図４０参照)。すなわち、図４１(ａ)に示すように、前方接触部５６ｃは後方へ付勢された状態となって外レール４９に弾力的に接触するので、両者は確実に接触することができ、しかも、その接触状態は好適に維持される。また、第１アース部材５６の後方接触部５６ａは、透明板４６の切欠部４６ａを介して、該透明板４６の裏面に臨む。
【０１５５】
前記裏ユニット４７に各装飾カバー１３９,１４３,１４７を配設した状態で、前記第１の装飾カバー１３９の面一部１３９ｂが裏ユニット４７の前面と面一となり、第２の装飾カバー１４３の外周側前面が裏ユニット４７の前面と面一となり、また第３の装飾カバー１４７の前面も裏ユニット４７の前面と面一となる。前記第１の装飾カバー１３９と開放端側枠部６１の第２の装飾カバー１４３を連結する際に、前記リード線１５２の一端を共締めすることで、該リード線１５２が全ての装飾カバー１３９,１４３,１４７に電気的に接続される。
【０１５６】
次に、裏ユニット４７の右側部(開放端側の側部)に、ネジ１４９を介して第２アース部材１４８を取り付ける。このとき、前記リード線１５２の他端もネジ１４９によってネジ止めされ、該リード線１５２と第２アース部材１４８とが電気的に接続される。この状態において、第２アース部材１４８の前方接触部１４８ａは、裏ユニット４７の前面から前方へ突出すると共に(図４１(ｂ)の二点鎖線参照)、前記前方保護壁１５０によって上下側および左側(枢支端側)から囲繞される。一方、第２アース部材１４８の後方接触部１４８ｂは、裏ユニット４７の裏面から後方へ突出すると共に(図４１(ｂ)の二点鎖線参照)、後方保護壁１５１によって上下側および左側(枢支端側)から囲繞される。
【０１５７】
前記透明板４６の裏面に裏ユニット４７を取り付けて、遊技盤４５が完成される。このとき、透明板４６の裏面に、第１の装飾カバー１３９の面一部１３９ｂ、第２の装飾カバー１４３の外周側前面、および第３の装飾カバー１４７の前面の夫々が接触し、透明板４６から各装飾カバー１３９,１４３,１４７へ静電気が流れ得る状態となる。また、図４１(ｂ)に示すように、第２アース部材１４８の前方接触部１４８ａが第１アース部材５６の後方接触部５６ａに当接し、該前方接触部１４８ａが後方に弾性変形した状態となる。従って、第２アース部材１４８の前方接触部１４８ａは、第１アース部材５６の後方接触部５６ａに対し、自らの弾性により前方へ付勢された状態で確実に接触することができる。しかも、前方接触部１４８ａの後方付勢により、該前方接触部５６ａと後方接触部５６ａとの接触状態は好適に維持される。
【０１５８】
次に、前記遊技盤４５を中枠１２の遊技盤保持部２５に嵌め込む。すなわち、遊技盤４５の左側の端部を前記回転保持具２６,２６で保持したもとで、該遊技盤４５の右側の端部を中枠１２側へ押し込むように回動させる。そして、遊技盤４５の右側の端部を前記固定具２７,２７で固定保持することで、該遊技盤４５は中枠１２に対して位置決めセットされる。すると、図４１(ｂ)に示すように、前記中枠１２の右枠部材２１に設けられた軸受部２１ａに前記第２アース部材１４８の後方接触部１４８ｂが当接する。このとき、第２アース部材１４８の後方接触部１４８ｂは前方へ弾性変形した状態で軸受部２１ａに接触するので、該後方接触部１４８ｂは、自らの弾性により後方へ付勢された状態となる。従って、第２アース部材１４８の後方接触部１４８ｂは、軸受部２１ａに確実に接触することができると共に、両者の接触状態は好適に維持される。
【０１５９】
前述したように、遊技盤４５が中枠１２に嵌め込まれることで、外レール４９および装飾カバー１３９,１４３,１４７に対するアースが達成される。すなわち、外レール４９については、第１アース部材５６および第２アース部材１４８を介して中枠１２の軸受部２１ａに電気的な接続関係が構築される。また装飾カバー１３９,１４３,１４７については、リード線１５２および第２アース部材１４８を介して中枠１２の軸受部２１ａに電気的な接続関係が構築される。従って、静電気の発生し易い透明板４６にあって、遊技中に生じた静電気を外レール４９または第１の装飾カバー１３９を介して好適にアースすることができる。これにより、外レール４９または透明板４６に生じた静電気を好適に逃がし、例えば液晶表示装置１３に静電気が悪影響を及ぼすのを防止し得る。
【０１６０】
ここで、前記透明板４６においては、前記レール４８,４９から放出されるパチンコ球が打ち込まれる遊技領域４５ａの特に上部に多くの静電気が帯電しており、この静電気は、前記第１の装飾カバー１３９を介してアースされる。従って、前記第１の発光装置１０８が静電気によって故障等するのを防止し得る。また、前記光装飾部１０６および第１可動発光装置１０７,１０７の前側を装飾する上部装飾カバー１３６は第１の装飾カバー１３９に接触して導通されているから、上部装飾カバー１３６に流れた静電気も第１の装飾カバー１３９を介してアースされ、第１可動発光装置１０７,１０７および光装飾部１０６の裏側に配設されている上部発光装置１０９に静電気が影響するのも防止し得る。更に、第１の装飾カバー１３９には、前記可視表示部４７ａの左右両側に位置する第２の装飾カバー１４３,１４３も電気的に接続されているから、前記透明板４６において異なる部位に帯電する静電気を、各装飾カバー１３９,１４３を介して中枠１２に逃がすことができる。すなわち、遊技領域４５ａを囲むように配置されて、ダイナミック駆動方式が採用された各発光装置１０８,１２０,１２５,１２９のＬＥＤ１１４ａ,１４０ａ,１４４ａに、透明板４６に帯電した静電気が影響するのを好適に防止することができる。
【０１６１】
実施例では、第２アース部材１４８の前方接触部１４８ａおよび後方接触部１４８ｂを、夫々前方保護壁１５０および後方保護壁１５１で囲うようにしたので、裏ユニット４７を透明板４６に取り付ける際に、前後に突出する接触部６６ａ,６６ｂを作業者が引っ掛けてしまうのを防止し得る。従って、第２アース部材６６の前後の接触部１４８ａ,１４８ｂが変形して、接触不良を起こすと云った事態を回避し得る。
【０１６２】
なお、実施例では、第１アース部材５６の後方接触部５６ａは、第２アース部材１４８の前方接触部１４８ａとの接触時に、弾性変形して後方へ付勢される構成とはなっていない。しかしながら、第１アース部材５６の後方接触部５６ａを後方へ延出させて、第２アース部材１４８の前方接触部１４８ａとの接触時に前方へ弾性変形して後方付勢される構成としてもよい。その場合、第２アース部材１４８の前方接触部１４８ａは、前方への付勢をなくすことも可能であり、また実施例の如く前方へ付勢させてもよい。すなわち、第１アース部材５６の後方接触部５６ａおよび第２アース部材１４８の前方接触部１４８ａは、接触時に、少なくとも一方が他方側へ付勢される構成となっていればよい。
【０１６３】
(変更例)
本願は前述した実施例や別実施例の構成に限定されるものではなく、その他の構成を適宜に採用することができる。
(1) 実施例において、前記制御用ＲＯＭのピンと接触させる接触部の接触面を平面で形成した場合で説明したが、図４２に示す構成を採用できる。すなわち、接触部９９における前記制御用ＲＯＭ７２のピン７２ｂの接触面(図４２の左右両側面)には、内側に向けてピン７２ｂの差し込み方向に傾斜するよう突出する複数の爪部９９ａが、差し込み方向に並列に一体形成される。この構成によれば、接触部９９に差し込まれた制御用ＲＯＭ７２のピン７２ｂが引き抜き方向に移動するのを爪部９９ａで規制することができ、振動によるピン７２ｂの位置ずれを更に抑制し得る。また、爪部９９ａの内側を指向する面が、図示のように差し込み方向に傾斜しているから、ピン７２ｂの差し込みは容易となる。
(2) 実施例では、遊技盤として透明板と裏ユニットとを組み付けた、所謂透明遊技盤を挙げたが、非透明な木製等の遊技盤であってもよい。
(3) 実施例では、演出表示制御基板を金属板材に取り付け場合で説明したが、演出表示制御基板を、第２ケースの皿状部材に直接弾性体を介して取り付ける構成を採用し得る。
(4) 実施例では、弾性体の各保持部の内側と外側に分かれた位置の夫々に突起を設けたが、突起の形成位置や数等は任意に変更可能であり、また突起の形状についても、接触する対象物に対する接触面積を小さくし得るものであれば、実施例に限定されるものではない。
(5) データ用ＲＯＭを装着する実装保持部材に形成されるＲＯＭ用係止部およびＲＯＭ用被係止部については、押圧部材を押圧位置から固定位置にスライドしてＲＯＭ用係止部がＲＯＭ用被係止部に係合する際に、押圧部材を、更にデータ用ＲＯＭを基台表面に押付ける方向に移動させるように、ＲＯＭ用係止部またはＲＯＭ用被係止部の何れかが楔状になっていてもよい。
(6) 実施例では、統括制御装置に配設される調整手段として、スピーカの音量を調整するものを挙げたが、これに限定されるものではなく、設定量を調整する必要のある各種の電気部品に対応するものであればよい。例えば、遊技店側で調整する必要のある電気部品の調整手段で、中枠の裏側に配設されて、調整に際しては外枠に対して中枠を解放して該中枠の裏面を前側に露出する必要のあるものであればよい。
(7) 実施例では、第１の発光装置、第２の枢支側発光装置、第２の開放側発光装置および第３の発光装置を、遊技領域を囲むような円形に配置した場合で説明したが、これに限定されるものではない。例えば、矩形状に配置したり、小判状、その他各種の形状に配置することができる。
【０１６４】
本発明に係る遊技機の制御装置については、以下に示す構成に限定することが可能である。
〔付記〕
前側に遊技領域(45a)が設けられる遊技盤(45)を備え、該遊技盤(45)の裏側に、前記制御用ＲＯＭ(72)に格納されたプログラムに基づいて各種図柄を可変表示可能な液晶表示装置(13)が配設されると共に、前記遊技盤(45)に形成された可視表示部(47a)を介して、前記液晶表示装置(13)の表示部を前側から視認し得るよう構成され、前記遊技領域(45a)に打ち出された遊技球が、前記遊技盤(45)に設けられた入賞装置(51)に入賞することで賞球が払い出される請求項１〜３の何れか一項に記載の遊技機の制御装置。
付記の発明によれば、振動による制御用ＲＯＭの接触不良の発生を抑制し得るから、液晶表示装置での演出異常を防止することができる。
【図面の簡単な説明】
【０１６５】
【図１】本発明の好適な実施例に係るパチンコ機を示す正面図である。
【図２】実施例に係るパチンコ機を、中枠から遊技盤および前枠を外した状態で示す正面図である。
【図３】実施例に係るパチンコ機を、中枠に対して遊技盤および前枠を開放した状態を示す概略斜視図である。
【図４】実施例に係るパチンコ機を保護カバーを外した状態で示す背面図である。
【図５】実施例に係るパチンコ機を示す背面図である。
【図６】実施例に係る遊技盤を示す正面図であって、裏ユニットを破線で示す。
【図７】実施例に係る遊技盤を構成する透明板と裏ユニットを分解した状態で示す側面図である。
【図８】実施例に係る液晶表示装置を、インバータ基板、インバータカバーおよび演出表示制御装置を取り付けた状態で示す背面図である。
【図９】実施例に係る液晶表示装置を、インバータカバーおよび演出表示制御装置のカバー状部材を外した状態で示す背面図である。
【図１０】実施例に係る演出表示制御装置を、カバー状部材を外した状態で示す背面図である。
【図１１】実施例に係る金属板材を示す概略斜視図である。
【図１２】実施例に係る演出表示制御装置を、カバー状部材を外した状態で示す断面図である。
【図１３】実施例に係る金属板材に対する演出表示制御基板の弾性体による取り付け位置を示す要部断面図である。
【図１４】実施例に係る弾性体を示す平面図である。
【図１５】実施例に係る制御用ＲＯＭをＲＯＭ用ソケットに実装した状態を示すものであって、(ａ)は全体説明図であり、(ｂ)はピンと接触部とを示す要部拡大図である。
【図１６】(ａ)は実施例に係る制御用ＲＯＭをＲＯＭ用ソケットに実装する前の状態を示す説明図であり、(ｂ)は実施例に係る制御用ＲＯＭをＲＯＭ用ソケットに実装した状態を示す説明図である。
【図１７】実施例に係る制御用ＲＯＭをＲＯＭ用ソケットに実装した状態の要部断面図である。
【図１８】実施例に係るデータ用ＲＯＭを実装保持部材に実装した状態を示す背面図である。
【図１９】実施例に係るデータ用ＲＯＭを実装保持部材に実装した状態を示す側面図である。
【図２０】実施例に係るデータ用ＲＯＭを実装保持部材に実装する前の状態を示す断面図である。
【図２１】実施例に係るデータ用ＲＯＭを実装保持部材に実装した状態を示す断面図である。
【図２２】実施例に係る液晶表示装置から電源基板までのアース経路を示す説明図である。
【図２３】実施例に係る遊技盤の裏ユニットを分解して示す概略斜視図である。
【図２４】実施例に係る裏ユニットを示す概略斜視図である。
【図２５】実施例に係る第１のＬＥＤ基板を示す概略斜視図である。
【図２６】実施例に係る裏ユニットを示す正面図である。
【図２７】実施例に係る裏ユニットを装飾カバーを外した状態で示す正面図である。
【図２８】実施例に係る裏ユニットの要部を示す正面図であって、(ａ)は第１の設置部に第１の発光装置を取り付けた状態を示し、(ｂ)は第１の設置部から第１の発光装置を外した状態を示す。
【図２９】実施例に係る裏ユニットの第１の設置部を示す断面図である。
【図３０】実施例に係る裏ユニットの第２の設置部を示す断面図である。
【図３１】実施例に係る裏ユニットの第３の設置部を示す断面図である。
【図３２】実施例に係る第２の枢支側発光装置を示す分解斜視図である。
【図３３】実施例に係る第２の開放側発光装置を示す分解斜視図である。
【図３４】実施例に係るレンズカバーを正面側から示す概略斜視図である。
【図３５】実施例に係るレンズカバーを背面側から示す概略斜視図である。
【図３６】実施例に係る装飾カバーを正面側から示す概略斜視図である。
【図３７】実施例に係る装飾カバーを背面側から示す概略斜視図である。
【図３８】実施例に係る遊技盤の要部を示す分解斜視図である。
【図３９】実施例に係る第３飾りを裏面側から見た拡大図である。
【図４０】実施例に係る遊技盤を示す右側面図であって、(ａ)は透明板および裏ユニットを切り離した状態を示し、(ｂ)は透明板および裏ユニットを組み付けた状態を示す。
【図４１】実施例に係る第１アース部材および第２アース部材の接触状態を示す拡大横断面図であって、(ａ)は外レールと第１アース部材との接触部を示し、(ｂ)は第１アース部材、第２アース部材および軸受部が接触した状態を示す。
【図４２】接触部の別例を示す説明図である。
【符号の説明】
【０１６６】
１３  液晶表示装置(液晶表示ユニット)
４３  演出表示制御基板(基板)
６２  第１中継基板(中継基板)
６３  第２中継基板(別の基板)
６４  第２ケース体(取付部材)
６７  金属板材(取付部材)
６７ａ  第１取付部
６７ｂ  第２取付部
７２  制御用ＲＯＭ
７２ａ  ピン
７９  第３ソケット(ソケット)
８０  窪み部
８１  弾性体
８１ｂ  小径嵌合部
８１ｃ  通孔
８２  第１保持部
８２ａ  第１突起
８３  第２保持部
８３ａ  第２突起
８４  段付きネジ(取付手段)
８４ａ  支持部
８４ｂ  軸部(間隔保持部)
８４ｃ  ネジ部(間隔保持部)
９７  第４プラグ(プラグ)
【図１】
0005236990.tif 000002
【図２】
0005236990.tif 000003
【図３】
0005236990.tif 000004
【図４】
0005236990.tif 000005
【図５】
0005236990.tif 000006
【図６】
0005236990.tif 000007
【図７】
0005236990.tif 000008
【図８】
0005236990.tif 000009
【図９】
0005236990.tif 000010
【図１０】
0005236990.tif 000011
【図１１】
0005236990.tif 000012
【図１２】
0005236990.tif 000013
【図１３】
0005236990.tif 000014
【図１４】
0005236990.tif 000015
【図１５】
0005236990.tif 000016
【図１６】
0005236990.tif 000017
【図１７】
0005236990.tif 000018
【図１８】
0005236990.tif 000019
【図１９】
0005236990.tif 000020
【図２０】
0005236990.tif 000021
【図２１】
0005236990.tif 000022
【図２２】
0005236990.tif 000023
【図２３】
0005236990.tif 000024
【図２４】
0005236990.tif 000025
【図２５】
0005236990.tif 000026
【図２６】
0005236990.tif 000027
【図２７】
0005236990.tif 000028
【図２８】
0005236990.tif 000029
【図２９】
0005236990.tif 000030
【図３０】
0005236990.tif 000031
【図３１】
0005236990.tif 000032
【図３２】
0005236990.tif 000033
【図３３】
0005236990.tif 000034
【図３４】
0005236990.tif 000035
【図３５】
0005236990.tif 000036
【図３６】
0005236990.tif 000037
【図３７】
0005236990.tif 000038
【図３８】
0005236990.tif 000039
【図３９】
0005236990.tif 000040
【図４０】
0005236990.tif 000041
【図４１】
0005236990.tif 000042
【図４２】
0005236990.tif 000043